(57)【要約】  ソース基地局によってサーブされるソースセルからターゲット基地局によってサーブされるターゲットセルへの無線デバイスのハンドオーバのための方法。ソース基地局において実現される一例の方法は、少なくとも１つのシステムフレーム番号（ＳＦＮ）値に関して指定される、ターゲットセルにおけるアップリンクリソースに対する少なくとも１つのアップリンクグラント時間の指示を含む構成情報を含む、無線デバイスへ送信されるコマンドを取得することを含む。方法は、コマンドを無線デバイスに送信することを更に含む。コマンドの構成情報は、無線デバイスが、ＳＦＮ値をターゲットセルから取得することなく、ターゲットセルのアップリンクリソースにアクセスする時間を決定できるようにするのに十分な情報を含む。コマンドは、ターゲットセルへの無線デバイスのランダムアクセスチャネルレス（ＲＡＣＨレス）ハンドオーバに対するハンドオーバコマンドであってもよい。【選択図】図１
2019534632.tif 000002
【特許請求の範囲】
【請求項１】
ソース基地局（３０）によってサーブされるソースセルからターゲット基地局によってサーブされるターゲットセルへの無線デバイス（５０）のハンドオーバのための、ソース基地局（３０）における方法（４００）であって、
前記無線デバイス（５０）へ送信されるコマンドであって、少なくとも１つのシステムフレーム番号（ＳＦＮ）値に関して指定される、前記ターゲットセルにおけるアップリンクリソースに対する少なくとも１つのアップリンクグラント時間の指示を含む構成情報を含む、コマンドを取得すること（４０２）と、
前記コマンドを前記無線デバイス（５０）に送信すること（４０４）とを含み、
前記コマンドの前記構成情報が、前記無線デバイスが、ＳＦＮ値を前記ターゲットセルから取得することなく、前記ターゲットセルのアップリンクリソースにアクセスする時間を決定できるようにするのに十分な情報を含む、方法（４００）。
【請求項２】
前記コマンドが、前記ターゲットセルへの前記無線デバイス（５０）のランダムアクセスチャネルレス（ＲＡＣＨレス）ハンドオーバに対するハンドオーバコマンドである、請求項１に記載の方法（４００）。
【請求項３】
前記少なくとも１つのアップリンクグラント時間が、前記ターゲットセルの第１のＳＦＮ値に関して指定され、前記構成情報が、前記ソースセルのＳＦＮ値と前記ターゲットセルの同時のＳＦＮ値との差を示すＳＦＮオフセット値を更に含み、それによって前記無線デバイス（５０）が、前記ＳＦＮオフセット値を前記ターゲットセルの前記第１のＳＦＮ値に適用することによって、前記ソースセルのＳＦＮ値に関して前記ターゲットセルのアップリンクリソースにアクセスする前記時間を決定することができる、請求項１または２に記載の方法（４００）。
【請求項４】
前記構成情報が、前記ターゲットセルにアクセスするためのランダムアクセスチャネル（ＲＡＣＨ）手順へのフォールバック手順が、前記無線デバイス（５０）によって開始されるべきである、前記ターゲットセルのＳＦＮ値に関して指定される、時間の指示を更に含む、請求項３に記載の方法（４００）。
【請求項５】
前記少なくとも１つのＳＦＮ値が前記ソースセルのＳＦＮ値に関して指定され、それによって、前記無線デバイス（５０）が、ＳＦＮ値を前記ターゲットセルから取得することなく、前記ソースセルのＳＦＮ値に関して前記ターゲットセルのアップリンクリソースにアクセスする前記時間を決定できるようにするのに、追加情報が不要である、請求項１から４のいずれか一項に記載の方法（４００）。
【請求項６】
前記少なくとも１つのＳＦＮ値が、前記ソースセルのＳＦＮ値に関して指定され、前記構成情報が、前記ソースセルのＳＦＮ値に関して前記少なくとも１つのアップリンクグラントが指定されることの明示的な指示を更に含む、請求項１から４のいずれか一項に記載の方法（４００）。
【請求項７】
前記構成情報が、前記ターゲットセルにアクセスするためのランダムアクセスチャネル（ＲＡＣＨ）手順へのフォールバック手順が、前記無線デバイス（５０）によって開始されるべきである、前記ソースセルのＳＦＮ値に関して指定される、時間の指示を更に含む、請求項５または６に記載の方法（４００）。
【請求項８】
前記コマンドを取得することが、前記ターゲットセルにサーブするターゲット基地局（３０）から前記コマンドを受信することを含む、請求項１から７のいずれか一項に記載の方法（４００）。
【請求項９】
前記ソース基地局（３０）が前記ターゲット基地局でもあり、前記コマンドを取得することが前記コマンドを形成することを含む、請求項１から７のいずれか一項に記載の方法（４００）。
【請求項１０】
ソース基地局によってサーブされるソースセルからターゲット基地局（３０）によってサーブされるターゲットセルへの無線デバイス（５０）のハンドオーバのための、ターゲット基地局（３０）における方法（５００）であって、
前記無線デバイス（５０）へ送信されるコマンドであって、少なくとも１つのシステムフレーム番号（ＳＦＮ）値に関して指定される、前記ターゲットセルにおけるアップリンクリソースに対する少なくとも１つのアップリンクグラント時間の指示を含む構成情報を含む、コマンドを形成すること（５０２）を含み、
前記コマンドの前記構成情報が、前記無線デバイス（５０）が、ＳＦＮ値を前記ターゲットセルから取得することなく、前記ターゲットセルのアップリンクリソースにアクセスする時間を決定できるようにするのに十分な情報を含む、方法（５００）。
【請求項１１】
前記コマンドが、前記ターゲットセルへの前記無線デバイス（５０）のランダムアクセスチャネルレス（ＲＡＣＨレス）ハンドオーバに対するハンドオーバコマンドである、請求項１０に記載の方法（５００）。
【請求項１２】
前記無線デバイス（５０）に送信するため、前記コマンドを前記ソース基地局に送ることを更に含む、請求項１０または１１に記載の方法（５００）。
【請求項１３】
前記ターゲット基地局（３０）が前記ソース基地局でもあり、前記方法（５００）が、前記コマンドを前記無線デバイス（５０）に送信することを更に含む、請求項１０または１１に記載の方法（５００）。
【請求項１４】
前記少なくとも１つのアップリンクグラント時間が、前記ターゲットセルの第１のＳＦＮ値に関して指定され、前記構成情報が、前記ソースセルのＳＦＮ値と前記ターゲットセルの同時のＳＦＮ値との差を示すＳＦＮオフセット値を更に含み、それによって前記無線デバイス（５０）が、前記ＳＦＮオフセット値を前記ターゲットセルの前記第１のＳＦＮ値に適用することによって、前記ソースセルのＳＦＮ値に関して前記ターゲットセルのアップリンクリソースにアクセスする前記時間を決定することができる、請求項１０から１３のいずれか一項に記載の方法（５００）。
【請求項１５】
前記構成情報が、前記ターゲットセルにアクセスするためのランダムアクセスチャネル（ＲＡＣＨ）手順へのフォールバック手順が、前記無線デバイス（５０）によって開始されるべきである、前記ターゲットセルのＳＦＮ値に関して指定される、時間の指示を更に含む、請求項１４に記載の方法（５００）。
【請求項１６】
前記少なくとも１つのＳＦＮ値が前記ソースセルのＳＦＮ値に関して指定され、それによって、前記無線デバイス（５０）が、ＳＦＮ値を前記ターゲットセルから取得することなく、前記ソースセルのＳＦＮ値に関して前記ターゲットセルのアップリンクリソースにアクセスする前記時間を決定できるようにするのに、追加情報が不要である、請求項１０から１３のいずれか一項に記載の方法（５００）。
【請求項１７】
前記少なくとも１つのＳＦＮ値が、前記ソースセルのＳＦＮ値に関して指定され、前記構成情報が、前記ソースセルのＳＦＮ値に関して前記少なくとも１つのアップリンクグラントが指定されることの明示的な指示を更に含む、請求項１０から１３のいずれか一項に記載の方法（５００）。
【請求項１８】
前記方法（５００）が、前記ターゲット基地局（３０）において、前記ターゲットセルのＳＦＮ値に基づくとともに前記アップリンクグラント時間に対応して、また、前記ソースセルのＳＦＮ値と前記ターゲットセルの同時のＳＦＮ値との差を示すＳＦＮオフセットに基づいて、前記ソースセルの前記ＳＦＮ値を決定することを更に含む、請求項１６または１７に記載の方法（５００）。
【請求項１９】
前記構成情報が、前記ターゲットセルにアクセスするためのランダムアクセスチャネル（ＲＡＣＨ）手順へのフォールバック手順が、前記無線デバイス（５０）によって開始されるべきである、前記ソースセルのＳＦＮ値に関して指定される、時間の指示を更に含む、請求項１６から１８のいずれか一項に記載の方法（５００）。
【請求項２０】
前記指示される少なくとも１つのアップリンクグラント時間にしたがって、前記無線デバイス（５０）の前記ターゲットセルにおけるアップリンクリソースを残しておくことを更に含む、請求項１０から１９のいずれか一項に記載の方法（５００）。
【請求項２１】
最初は無線通信システムにおいてサービングセルによってサーブされる、無線デバイス（５０）における方法（７００）であって、
ソースセルまたはターゲットセルのどちらかに対する少なくとも１つのシステムフレーム番号（ＳＦＮ）値に関して指定される、前記ターゲットセルのアップリンクリソースに対する少なくとも１つのアップリンクグラント時間の指示を含む構成情報を含む、コマンドを前記サービングセルから受信すること（７０２）と、
前記少なくとも１つのアップリンクグラント時間の前記指示に基づいて、前記ソースセルのＳＦＮ値に関して、前記少なくとも１つのアップリンクグラント時間に対応する時間を決定すること（７０４）と、
前記決定した時間に基づいて、前記ターゲットセルへの送信を開始すること（７０６）とを含む、方法（７００）。
【請求項２２】
前記コマンドが、前記ターゲットセルへの前記無線デバイス（５０）のランダムアクセスチャネルレス（ＲＡＣＨレス）ハンドオーバに対するハンドオーバコマンドであり、前記ターゲットセルへの前記送信が前記ターゲットセルへのＲＡＣＨレスアクセスである、請求項２１に記載の方法（４００）。
【請求項２３】
前記少なくとも１つのアップリンクグラント時間が、前記ターゲットセルの第１のＳＦＮ値に関して指定され、前記構成情報が、前記ソースセルのＳＦＮ値と前記ターゲットセルの同時のＳＦＮ値との差を示すＳＦＮオフセット値を更に含み、前記少なくとも１つのアップリンクグラント時間に対応する前記時間の前記決定（７０４）が、前記ＳＦＮオフセット値を前記ターゲットセルの前記第１のＳＦＮ値に適用することを含む、請求項２１または２２に記載の方法（７００）。
【請求項２４】
前記構成情報が、前記ターゲットセルにアクセスするランダムアクセスチャネル（ＲＡＣＨ）手順へのフォールバック手順が前記無線デバイス（５０）によって開始されるべきである、前記ターゲットセルの第２のＳＦＮ値に関して指定される、時間の指示を更に含み、前記方法（７００）が、前記ＳＦＮオフセット値を前記第２のＳＦＮ値に適用することによって、前記ソースセルのＳＦＮ値に関して前記フォールバックを開始する時間を決定することを更に含む、請求項２３に記載の方法（７００）。
【請求項２５】
前記決定された時間において前記ターゲットセルに成功裏にアクセスすることの失敗に応答して、前記フォールバック開始の前記決定された時間に始まる、前記ターゲットセルに向けたランダムアクセス手順を開始することを更に含む、請求項２４に記載の方法（７００）。
【請求項２６】
前記少なくとも１つのＳＦＮ値が前記ソースセルのＳＦＮ値に関して指定され、前記方法（７００）が、ＳＦＮ値を前記ターゲットセルから取得することなく、前記ソースセルの前記ＳＦＮ値から直接前記時間を決定することを含む、請求項２１から２５のいずれか一項に記載の方法（７００）。
【請求項２７】
前記少なくとも１つのＳＦＮ値が前記ソースセルのＳＦＮ値に関して指定され、前記構成情報が、前記少なくとも１つのアップリンクグラントが前記ソースセルのＳＦＮ値に関して指定されるという明示的な指示を更に含み、前記方法（７００）が、前記明示的な指示に応答して、前記ターゲットセルからＳＦＮ値を取得することなく、前記ソースセルの前記ＳＦＮ値から直接前記時間を決定することを含む、請求項２１から２５のいずれか一項に記載の方法（７００）。
【請求項２８】
前記構成情報が、前記ターゲットセルにアクセスするランダムアクセスチャネル（ＲＡＣＨ）手順へのフォールバック手順が前記無線デバイス（５０）によって開始されるべきである、前記ソースセルのＳＦＮ値に関して指定される、時間の指示を更に含み、前記方法（７００）が、前記決定された時間において前記ターゲットセルに成功裏にアクセスすることの失敗に応答して、前記指示された時間に始まる、前記ターゲットセルに向けたランダムアクセス手順を開始することを更に含む、請求項２６または２７に記載の方法（７００）。
【請求項２９】
ソース基地局（３０）によってサーブされるソースセルからターゲット基地局によってサーブされるターゲットセルへの無線デバイス（５０）のハンドオーバに対応するように配置された、ソース基地局（３０）であって、
少なくとも１つのシステムフレーム番号（ＳＦＮ）値に関して指定される、前記ターゲットセルにおけるアップリンクリソースに対する少なくとも１つのアップリンクグラント時間の指示を含む構成情報を含む、前記無線デバイス（５０）へ送信されるコマンドを取得し、
前記ハンドオーバコマンドを前記無線デバイス（５０）に送信するように適合され、
前記コマンドの前記構成情報が、前記無線デバイス（５０）が、ＳＦＮ値を前記ターゲットセルから取得することなく、前記ターゲットセルのアップリンクリソースにアクセスする時間を決定できるようにするのに十分な情報を含む、ソース基地局（３０）。
【請求項３０】
前記コマンドが、前記ターゲットセルへの前記無線デバイス（５０）のランダムアクセスチャネルレス（ＲＡＣＨレス）ハンドオーバに対するハンドオーバコマンドである、請求項２９に記載のソース基地局（３０）。
【請求項３１】
前記ソース基地局が、請求項３から９のいずれか一項に記載の前記方法（４００）を実施するように更に適合された、請求項２９または３０に記載のソース基地局（３０）。
【請求項３２】
前記ソース基地局（３０）によってサーブされるソースセルからターゲット基地局によってサーブされるターゲットセルへの無線デバイス（５０）のハンドオーバに対応するように構成された、ソース基地局（３０）であって、
１つまたは複数の無線デバイス（５０）と通信するように構成された送受信機回路構成（３６）と、
前記送受信機回路構成（３６）を制御するように構成された処理回路構成（３２）であって、
少なくとも１つのシステムフレーム番号（ＳＦＮ）値に関して指定される、前記ターゲットセルにおけるアップリンクリソースに対する少なくとも１つのアップリンクグラント時間の指示を含む構成情報を含む、前記無線デバイス（５０）へ送信されるコマンドを取得し、
前記送受信機回路構成（３６）を介して、前記ハンドオーバコマンドを前記無線デバイス（５０）に送信するように構成された、処理回路構成（３２）とを備え、
前記コマンドの前記構成情報が、前記無線デバイス（５０）が、ＳＦＮ値を前記ターゲットセルから取得することなく、前記ターゲットセルのアップリンクリソースにアクセスする時間を決定できるようにするのに十分な情報を含む、ソース基地局（３０）。
【請求項３３】
前記コマンドが、前記ターゲットセルへの前記無線デバイス（５０）のランダムアクセスチャネルレス（ＲＡＣＨレス）ハンドオーバに対するハンドオーバコマンドである、請求項３２に記載のソース基地局（３０）。
【請求項３４】
前記少なくとも１つのアップリンクグラント時間が、前記ターゲットセルの第１のＳＦＮ値に関して指定され、前記構成情報が、前記ソースセルのＳＦＮ値と前記ターゲットセルの同時のＳＦＮ値との差を示すＳＦＮオフセット値を更に含み、それによって前記無線デバイス（５０）が、前記ＳＦＮオフセット値を前記ターゲットセルの前記第１のＳＦＮ値に適用することによって、前記ソースセルのＳＦＮ値に関して前記ターゲットセルのアップリンクリソースにアクセスする前記時間を決定することができる、請求項３２または３３に記載のソース基地局（３０）。
【請求項３５】
前記構成情報が、前記ターゲットセルにアクセスするためのランダムアクセスチャネル（ＲＡＣＨ）手順へのフォールバック手順が、前記無線デバイス（５０）によって開始されるべきである、前記ターゲットセルのＳＦＮ値に関して指定される、時間の指示を更に含む、請求項３４に記載のソース基地局（３０）。
【請求項３６】
前記少なくとも１つのＳＦＮ値が前記ソースセルのＳＦＮ値に関して指定され、それによって、前記無線デバイス（５０）が、ＳＦＮ値を前記ターゲットセルから取得することなく、前記ソースセルのＳＦＮ値に関して前記ターゲットセルのアップリンクリソースにアクセスする前記時間を決定できるようにするのに、追加情報が不要である、請求項３２または３３に記載のソース基地局（３０）。
【請求項３７】
前記少なくとも１つのＳＦＮ値が、前記ソースセルのＳＦＮ値に関して指定され、前記構成情報が、前記ソースセルのＳＦＮ値に関して前記少なくとも１つのアップリンクグラントが指定されることの明示的な指示を更に含む、請求項３２または３３に記載のソース基地局（３０）。
【請求項３８】
前記構成情報が、前記ターゲットセルにアクセスするためのランダムアクセスチャネル（ＲＡＣＨ）手順へのフォールバック手順が、前記無線デバイス（５０）によって開始されるべきである、前記ソースセルのＳＦＮ値に関して指定される、時間の指示を更に含む、請求項３６または３７に記載のソース基地局（３０）。
【請求項３９】
前記ハンドオーバコマンドを取得することが、前記ソースセルにサーブするターゲット基地局（３０）から前記ハンドオーバコマンドを受信することを含む、請求項３２から３８のいずれか一項に記載のソース基地局（３０）。
【請求項４０】
前記ソース基地局（３０）が前記ターゲット基地局でもあり、前記ハンドオーバコマンドを取得することが前記ハンドオーバコマンドを形成することを含む、請求項３２から３８のいずれか一項に記載のソース基地局（３０）。
【請求項４１】
ソース基地局によってサーブされるソースセルからターゲット基地局（３０）によってサーブされるターゲットセルへの無線デバイス（５０）のハンドオーバに対応するように配置された、ターゲット基地局（３０）であって、
少なくとも１つのシステムフレーム番号（ＳＦＮ）値に関して指定される、前記ターゲットセルにおけるアップリンクリソースに対する少なくとも１つのアップリンクグラント時間の指示を含む構成情報を含む、前記無線デバイス（５０）へ送信コマンドを形成するように適合され、
前記コマンドの前記構成情報が、前記無線デバイス（５０）が、ＳＦＮ値を前記ターゲットセルから取得することなく、前記ターゲットセルのアップリンクリソースにアクセスする時間を決定できるようにするのに十分な情報を含む、ターゲット基地局（３０）。
【請求項４２】
前記コマンドが、前記ターゲットセルへの前記無線デバイス（５０）のランダムアクセスチャネルレス（ＲＡＣＨレス）ハンドオーバに対するハンドオーバコマンドである、請求項４１に記載のターゲット基地局（３０）。
【請求項４３】
前記ターゲット基地局（３０）が、請求項１２から２０のいずれか一項に記載の前記方法（５００）を実施するように更に適合された、請求項４１または４２に記載のターゲット基地局（３０）。
【請求項４４】
ソース基地局（３０）によってサーブされるソースセルからターゲット基地局（３０）によってサーブされるターゲットセルへの無線デバイス（５０）のハンドオーバに対応するように構成された、ターゲット基地局（３０）であって、
１つまたは複数の無線デバイス（５０）と通信するように構成された送受信機回路構成（３６）と、
前記送受信機回路構成（３６）を制御するように構成された処理回路構成（３２）であって、
少なくとも１つのシステムフレーム番号（ＳＦＮ）値に関して指定される、前記ターゲットセルにおけるアップリンクリソースに対する少なくとも１つのアップリンクグラント時間の指示を含む構成情報を含む、前記無線デバイス（５０）へ送信されるコマンドを形成するように構成された、処理回路構成（３２）とを備え、
前記コマンドの前記構成情報が、前記無線デバイス（５０）が、ＳＦＮ値を前記ターゲットセルから取得することなく、前記ターゲットセルのアップリンクリソースにアクセスする時間を決定できるようにするのに十分な情報を含む、ターゲット基地局（３０）。
【請求項４５】
前記コマンドが、前記ターゲットセルへの前記無線デバイス（５０）のランダムアクセスチャネルレス（ＲＡＣＨレス）ハンドオーバに対するハンドオーバコマンドである、請求項４４に記載のターゲット基地局（３０）。
【請求項４６】
前記処理回路構成（３２）が、前記無線デバイス（５０）に送信するため、前記コマンドを前記ソース基地局に送るように構成された、請求項４４または４５に記載のターゲット基地局（３０）。
【請求項４７】
前記ターゲット基地局（３０）が前記ソース基地局でもあり、前記処理回路構成（３２）が、前記コマンドを前記無線デバイス（５０）に送信するように構成された、請求項３８に記載のターゲット基地局（３０）。
【請求項４８】
前記少なくとも１つのアップリンクグラント時間が、前記ターゲットセルの第１のＳＦＮ値に関して指定され、前記構成情報が、前記ソースセルのＳＦＮ値と前記ターゲットセルの同時のＳＦＮ値との差を示すＳＦＮオフセット値を更に含み、それによって前記無線デバイス（５０）が、前記ＳＦＮオフセット値を前記ターゲットセルの前記第１のＳＦＮ値に適用することによって、前記ソースセルのＳＦＮ値に関して前記ターゲットセルのアップリンクリソースにアクセスする前記時間を決定することができる、請求項４４から４７のいずれか一項に記載のターゲット基地局（３０）。
【請求項４９】
前記構成情報が、前記ターゲットセルにアクセスするためのランダムアクセスチャネル（ＲＡＣＨ）手順へのフォールバック手順が、前記無線デバイス（５０）によって開始されるべきである、前記ターゲットセルのＳＦＮ値に関して指定される、時間の指示を更に含む、請求項４８に記載のターゲット基地局（３０）。
【請求項５０】
前記少なくとも１つのＳＦＮ値が前記ソースセルのＳＦＮ値に関して指定され、それによって、前記無線デバイス（５０）が、ＳＦＮ値を前記ターゲットセルから取得することなく、前記ソースセルのＳＦＮ値に関して前記ターゲットセルのアップリンクリソースにアクセスする前記時間を決定できるようにするのに、追加情報が不要である、請求項４４から４７のいずれか一項に記載のターゲット基地局（３０）。
【請求項５１】
前記少なくとも１つのＳＦＮ値が、前記ソースセルのＳＦＮ値に関して指定され、前記構成情報が、前記ソースセルのＳＦＮ値に関して前記少なくとも１つのアップリンクグラントが指定されることの明示的な指示を更に含む、請求項４４から４７のいずれか一項に記載のターゲット基地局（３０）。
【請求項５２】
前記処理回路構成（３２）が、前記ターゲットセルのＳＦＮ値に基づくとともに前記アップリンクグラント時間に対応して、また、前記ソースセルのＳＦＮ値と前記ターゲットセルの同時のＳＦＮ値との差を示すＳＦＮオフセットに基づいて、前記ソースセルの前記ＳＦＮ値を決定するように構成された、請求項５０または５１に記載のターゲット基地局（３０）。
【請求項５３】
前記構成情報が、前記ターゲットセルにアクセスするためのランダムアクセスチャネル（ＲＡＣＨ）手順へのフォールバック手順が、前記無線デバイス（５０）によって開始されるべきである、前記ソースセルのＳＦＮ値に関して指定される、時間の指示を更に含む、請求項５から５２のいずれか一項に記載のターゲット基地局（３０）。
【請求項５４】
前記処理回路構成（３２）が、前記指示される少なくとも１つのアップリンクグラント時間にしたがって、前記無線デバイス（５０）の前記ターゲットセルにおけるアップリンクリソースを残しておくように構成された、請求項４４から５３のいずれか一項に記載のターゲット基地局（３０）。
【請求項５５】
無線通信ネットワークで動作するように適合された無線デバイス（５０）であって、
ソースセルまたはターゲットセルのどちらかに対する少なくとも１つのシステムフレーム番号（ＳＦＮ）値に関して指定される、前記ターゲットセルのアップリンクリソースに対する少なくとも１つのアップリンクグラント時間の指示を含む構成情報を含むコマンドを、前記無線デバイス（５０）にサーブするサービングセルから受信し、
前記少なくとも１つのアップリンクグラント時間の前記指示に基づいて、前記ソースセルのＳＦＮ値に関して、前記少なくとも１つのアップリンクグラント時間に対応する時間を決定し、
前記決定された時間に基づいて、前記ターゲットセルへの送信を開始するように適合された、無線デバイス（５０）。
【請求項５６】
前記コマンドが、前記ターゲットセルへの前記無線デバイス（５０）のランダムアクセスチャネルレス（ＲＡＣＨレス）ハンドオーバに対するハンドオーバコマンドであり、前記ターゲットセルへの前記送信が前記ターゲットセルへのＲＡＣＨレスアクセスである、請求項５５に記載の無線デバイス（５０）。
【請求項５７】
前記無線デバイス（５０）が、請求項２３から２８のいずれか一項に記載の方法（７００）を実施するように更に適合された、請求項５５または５６に記載の無線デバイス（５０）。
【請求項５８】
無線通信ネットワークで動作するように構成された無線デバイス（５０）であって、
基地局と通信するように構成された送受信機回路構成（５６）と、
前記送受信機回路構成（５６）に動作可能に連結された処理回路構成（５２）であって、
ソースセルまたはターゲットセルのどちらかに対する少なくとも１つのシステムフレーム番号（ＳＦＮ）値に関して指定される、前記ターゲットセルのアップリンクリソースに対する少なくとも１つのアップリンクグラント時間の指示を含む構成情報を含むコマンドを、前記送受信機回路構成（５６）を介して、前記無線デバイス（５０）にサーブするサービングセルから受信し、
前記少なくとも１つのアップリンクグラント時間の前記指示に基づいて、前記ソースセルのＳＦＮ値に関して、前記少なくとも１つのアップリンクグラント時間に対応する時間を決定し、
前記決定された時間に基づいて、前記送受信機回路構成（５６）を使用して前記ターゲットセルへの送信を開始するように構成された、処理回路構成（５２）とを備える、無線デバイス（５０）。
【請求項５９】
前記コマンドが、前記ターゲットセルへの前記無線デバイス（５０）のランダムアクセスチャネルレス（ＲＡＣＨレス）ハンドオーバに対するハンドオーバコマンドであり、前記ターゲットセルへの前記送信が前記ターゲットセルへのＲＡＣＨレスアクセスである、請求項５８に記載の無線デバイス（５０）。
【請求項６０】
前記少なくとも１つのアップリンクグラント時間が、前記ターゲットセルの第１のＳＦＮ値に関して指定され、前記構成情報が、前記ソースセルのＳＦＮ値と前記ターゲットセルの同時のＳＦＮ値との差を示すＳＦＮオフセット値を更に含み、前記処理回路構成（５２）が、前記ＳＦＮオフセット値を前記ターゲットセルの前記第１のＳＦＮ値に適用することによって、前記少なくとも１つのアップリンクグラント時間に対応する前記時間を決定するように構成された、請求項５８または５９に記載の無線デバイス（５０）。
【請求項６１】
前記構成情報が、前記ターゲットセルにアクセスするランダムアクセスチャネル（ＲＡＣＨ）手順へのフォールバック手順が前記無線デバイス（５０）によって開始されるべきである、前記ターゲットセルの第２のＳＦＮ値に関して指定される、時間の指示を更に含み、前記処理回路構成（５２）が、前記ＳＦＮオフセット値を前記第２のＳＦＮ値に適用することによって、前記ソースセルのＳＦＮ値に関して前記フォールバックを開始する時間を決定するように構成された、請求項６０に記載の無線デバイス（５０）。
【請求項６２】
前記処理回路構成（５２）が、前記決定された時間において前記ターゲットセルに成功裏にアクセスすることの失敗に応答して、前記フォールバック開始の前記決定された時間に始まる、前記ターゲットセルに向けたランダムアクセス手順を開始するように構成された、請求項６１に記載の無線デバイス（５０）。
【請求項６３】
前記少なくとも１つのＳＦＮ値が前記ソースセルのＳＦＮ値に関して指定され、前記処理回路構成（５２）が、ＳＦＮ値を前記ターゲットセルから取得することなく、前記ソースセルの前記ＳＦＮ値から直接前記時間を決定するように構成された、請求項５８または５９に記載の無線デバイス（５０）。
【請求項６４】
前記少なくとも１つのＳＦＮ値が前記ソースセルのＳＦＮ値に関して指定され、前記構成情報が、前記少なくとも１つのアップリンクグラントが前記ソースセルのＳＦＮ値に関して指定されるという明示的な指示を更に含み、前記処理回路構成（５２）が、前記明示的な指示に応答して、前記ターゲットセルからＳＦＮを取得することなく、前記ソースセルの前記ＳＦＮ値から直接前記時間を決定するように構成された、請求項５８または５９に記載の無線デバイス（５０）。
【請求項６５】
前記構成情報が、前記ターゲットセルにアクセスするランダムアクセスチャネル（ＲＡＣＨ）手順へのフォールバック手順が前記無線デバイス（５０）によって開始されるべきである、前記ソースセルのＳＦＮ値に関して指定される、時間の指示を更に含み、前記処理回路構成（５２）が、前記決定された時間において前記ターゲットセルに成功裏にアクセスすることの失敗に応答して、前記指示された時間に始まる、前記ターゲットセルに向けたランダムアクセス手順を開始するように構成された、請求項６３または６４に記載の無線デバイス（５０）。
【請求項６６】
ソース基地局（３０）によってサーブされるソースセルからターゲット基地局によってサーブされるターゲットセルへの無線デバイス（５０）のハンドオーバに対応するように構成された、ソース基地局（３０）のプロセッサ（３２）によって実行されるように構成されたコンピュータプログラムコードを備える、コンピュータプログラム製品（４６）であって、前記コンピュータプログラムコードが、前記ソース基地局（３０）に、前記無線デバイス（５０）へ送信されるコマンドであって、少なくとも１つのシステムフレーム番号（ＳＦＮ）値に関して指定される、前記ターゲットセルにおけるアップリンクリソースに対する少なくとも１つのアップリンクグラント時間の指示を含む構成情報を含む、コマンドを取得させ、
前記送受信機回路構成（３６）を介して、前記コマンドを前記無線デバイス（５０）に送信させるように構成された、命令を含み、
前記コマンドの前記構成情報が、前記無線デバイス（５０）が、ＳＦＮ値を前記ターゲットセルから取得することなく、前記ターゲットセルのアップリンクリソースにアクセスする時間を決定できるようにするのに十分な情報を含む、コンピュータプログラム製品（４６）。
【請求項６７】
ソース基地局によってサーブされるソースセルからターゲット基地局（３０）によってサーブされるターゲットセルへの無線デバイス（５０）のハンドオーバに対応するように構成された、前記ターゲット基地局（３０）のプロセッサ（３２）によって実行されるように構成されたコンピュータプログラムコードを備える、コンピュータプログラム製品（４６）であって、前記コンピュータプログラムコードが、前記ターゲット基地局（３０）に、
少なくとも１つのシステムフレーム番号（ＳＦＮ）値に関して指定される、前記ターゲットセルにおけるアップリンクリソースに対する少なくとも１つのアップリンクグラント時間の指示を含む構成情報を含む、前記無線デバイス（５０）へ送信されるコマンドを形成させるように構成された、命令を含み、
前記コマンドの前記構成情報が、前記無線デバイス（５０）が、ＳＦＮ値を前記ターゲットセルから取得することなく、前記ターゲットセルのアップリンクリソースにアクセスする時間を決定できるようにするのに十分な情報を含む、コンピュータプログラム製品（４６）。
【請求項６８】
無線通信ネットワークで動作する無線デバイス（５０）のプロセッサ（５２）によって実行されるように構成されたコンピュータプログラムコードを備える、コンピュータプログラム製品（４６）であって、前記コンピュータプログラムコードが、前記無線デバイス（５０）に、
ソースセルまたはターゲットセルのどちらかに対する少なくとも１つのシステムフレーム番号（ＳＦＮ）値に関して指定される、前記ターゲットセルのアップリンクリソースに対する少なくとも１つのアップリンクグラント時間の指示を含む構成情報を含むコマンドを、前記無線デバイス（５０）にサーブするサービングセルから受信させ、
前記少なくとも１つのアップリンクグラント時間の前記指示に基づいて、前記ソースセルのＳＦＮ値に関して、前記少なくとも１つのアップリンクグラント時間に対応する時間を決定させ、
前記決定された時間に基づいて、前記ターゲットセルへの送信を開始させるように構成された命令を含む、コンピュータプログラム製品（４６）。
【請求項６９】
請求項６６から６８のいずれか一項に記載の前記コンピュータプログラム製品（４６、６６）が格納された、非一時的であることができる、コンピュータ可読媒体（４４、６４）。
【請求項７０】
ソース基地局（３０）によってサーブされるソースセルからターゲット基地局によってサーブされるターゲットセルへの無線デバイス（５０）のハンドオーバのための、ソース基地局（３０）であって、
少なくとも１つのシステムフレーム番号（ＳＦＮ）値に関して指定される、前記ターゲットセルにおけるアップリンクリソースに対する少なくとも１つのアップリンクグラント時間の指示を含む構成情報を含む、前記無線デバイス（５０）へ送信されるコマンドを取得する、取得モジュール（８０２）と、
前記コマンドを前記無線デバイス（５０）に送信する送信モジュール（８０４）とを備え、
前記コマンドの前記構成情報が、前記無線デバイスが、ＳＦＮ値を前記ターゲットセルから取得することなく、前記ターゲットセルのアップリンクリソースにアクセスする時間を決定できるようにするのに十分な情報を含む、ソース基地局（３０）。
【請求項７１】
ソース基地局によってサーブされるソースセルからターゲット基地局（３０）によってサーブされるターゲットセルへの無線デバイス（５０）のハンドオーバのための、ターゲット基地局（３０）であって、
少なくとも１つのシステムフレーム番号（ＳＦＮ）値に関して指定される、前記ターゲットセルにおけるアップリンクリソースに対する少なくとも１つのアップリンクグラント時間の指示を含む構成情報を含む、前記無線デバイス（５０）へ送信されるコマンドを形成する、形成モジュール（９０２）を備え、
前記コマンドの前記構成情報が、前記無線デバイス（５０）が、ＳＦＮ値を前記ターゲットセルから取得することなく、前記ターゲットセルのアップリンクリソースにアクセスする時間を決定できるようにするのに十分な情報を含む、ターゲット基地局（３０）。
【請求項７２】
最初は無線通信システムにおいてサービングセルによってサーブされる、無線デバイス（５０）であって、
ソースセルまたはターゲットセルのどちらかに対する少なくとも１つのシステムフレーム番号（ＳＦＮ）値に関して指定される、前記ターゲットセルのアップリンクリソースに対する少なくとも１つのアップリンクグラント時間の指示を含む構成情報を含むコマンドを前記サービングセルから受信する、受信モジュール（１００２）と、
前記少なくとも１つのアップリンクグラント時間の前記指示に基づいて、前記ソースセルのＳＦＮ値に関して、前記少なくとも１つのアップリンクグラント時間に対応する時間を決定する、決定モジュール（１００４）と、
前記決定した時間に基づいて、前記ターゲットセルへの送信を開始する開始モジュール（１００６）とを備える、無線デバイス（５０）。
【発明の詳細な説明】
【技術分野】
【０００１】
本出願は、全体として、無線通信ネットワークに関し、より詳細には、かかるネットワークにおいて、ソース基地局によってサーブされるソースセルからターゲット基地局によってサーブされるターゲットセルへの、無線デバイスのハンドオーバを実施する技術に関する。
【背景技術】
【０００２】
第三世代パートナーシッププロジェクト（３ＧＰＰ）は、ロングタームエボリューション（ＬＴＥ）と一般に称される、また更に正式にはエボルブドユニバーサル移動通信システム（ＵＭＴＳ）地上波無線アクセスネットワーク（Ｅ−ＵＴＲＡＮ）として知られる、第四世代無線通信技術に関する規格に応じて進歩し発展するように努力を続けている。これらの努力の一部として、ＬＴＥにおけるモビリティ手順を強化する作業項目が、３ＧＰＰ文書ＲＰ−１６０６３６の作業グループＲＡＮ＃７１において認可された。
【０００３】
これらの機能強化の一部として考察された解決策の１つには、いわゆるＲＡＣＨレス（ランダムアクセスチャネルレス）ハンドオーバ（ＨＯ）手順が関与する。ＲＡＣＨレスハンドオーバ手順は、ハンドオーバ手順中に無線デバイス（３ＧＰＰ技術では、ユーザ機器（ＵＥ）と呼ばれる）が最初にターゲットセルにおける送信を始めるときに、ランダムアクセス手順がハンドオーバのターゲットセルでは実施されない、ハンドオーバ手順である。
【０００４】
ハンドオーバプロセスの一部としてターゲットセルとのランダムアクセス手順を実施するよりもむしろ、ソースセルからターゲットセルへとハンドオーバされる無線デバイスには、ターゲットセルとの通信を開始するため、ターゲットセルにおける１つまたは複数のアップリンク（ＵＬ）グラントが割り当てられる。換言すれば、無線デバイスには、ターゲットセルにおいてターゲットセルへのアップリンク送信を実施することができる、特定の時間周波数リソースが割り当てられる。ハンドオーバプロセスの一部として、かかるＲＡＣＨレスハンドオーバ手順の無線デバイスは、特にアップリンクグラントを得るために、最初にＲＡＣＨ手順を実施することなく、グラントされたアップリンクリソースのいわゆるハンドオーバコンプリートメッセージ（ＲＣＣＣｏｎｎｅｃｔｉｏｎＲｅｃｏｎｆｉｇｕｒａｔｉｏｎＣｏｍｐｌｅｔｅメッセージ）を送信する。
【０００５】
３ＧＰＰにおける合意（３ＧＰＰ文書Ｒ２−１６５２６９を参照）によって、このＲＡＣＨレスハンドオーバ手順は、ターゲットセルおよびソースセルが同じ基地局（３ＧＰＰ文書では、ｅＮｏｄｅＢ（ｅＮＢ）と呼ばれる）に属する場合に制限され、その場合、タイミングアドバンス（ＴＡ）値は両方のセルに対して同じであるものと見なされ、あるいは、例えばターゲットセルが小さいためにＴＡが常に０である場合、ターゲットセルにおけるＵＥに対するＴＡ値は既知であるものと見なされる。後者の場合、ターゲットセルおよびソースセルは、異なるｅＮＢに、即ちそれぞれターゲットｅＮＢおよびソースｅＮＢに属することがある。第１の場合、同じｅＮＢがターゲットｅＮＢおよびソースｅＮＢの両方である。
【０００６】
ＲＡＣＨレスハンドオーバ手順（例えば、３ＧＰＰ文書Ｒ２−１６５７８１を参照）に関して、ターゲットｅＮＢによって、ソースセルのＵＥに送信されるＨＯコマンドメッセージにおいて、ターゲットセルに対するアップリンクグラントをＵＥに送信させることが提案されてきた。また、ＲＡＣＨレスＨＯ手順が何らかの理由で働かない場合、指定された時間後にＵＥにＲＡＣＨ手順を使用させることが提案されてきた。それにより、その時点を、ＵＥがターゲットセルに同期した時間に基づくようにすることが提案されてきた。したがって、ＵＥの場合、ＲＡＣＨレスＨＯ手順における割り当てられたＵＬグラントの有効性は、ＵＥがターゲットセルに対する同期に成功する時点に基づく。
【０００７】
ＨＯコマンドメッセージ（ＬＴＥの場合）は、一般的に、ＭｏｂｉｌｉｔｙＣｏｎｔｒｏｌＩｎｆｏ情報要素を含む、ＲＲＣＣｏｎｎｅｃｔｉｏｎＲｅｃｏｎｆｉｇｕｒａｔｉｏｎメッセージから成る。
【０００８】
ＲＡＣＨレスＨＯに関する１つの要件は、ＵＥがターゲットセルのシステムフレーム番号（ＳＦＮ）を読み取る必要がないことである。そのように、ＵＥは、ターゲットセルのマスタ情報ブロック（ＭＩＢ）を読み取るように命じられない。これは、ＨＯを更に加速させるものと見なされる。
【発明の概要】
【０００９】
ＲＡＣＨレスハンドオーバ（ＨＯ）に関する最近の提案における１つの問題には、ターゲットセルのＲＡＣＨレス手順に対する有効性タイマが、無線デバイス（例えば、ＵＥ）がいつターゲットセルに同期したかに基づくようにするという提案が関与する。この方策における問題は、ＵＥがターゲットセルに対する同期にいつ成功したかを、ターゲットｅＮＢが知らないことである。ターゲットｅＮＢは、ターゲットセルのアップリンクグラントを含むＨＯコマンドメッセージを構築するとき、ＵＥがいつ始動してハンドオーバ手順を始めるか、即ち、ＵＥがいつソースセルのＨＯコマンドメッセージを成功裏に受信するかを知らない。更に、ＵＥがターゲットセルに対する同期手順を実施するのにどの程度の時間がかかるかを知らない。
【００１０】
この問題の結果、場合によっては、ちょうどＵＬグラントがターゲットセルにおいて有効であるとき、したがってＵＥがＲＡＣＨレスＨＯ手順の使用を止め、ＲＡＣＨ手順にフォールバックすべきときに関して、ターゲットｅＮＢとＵＥとの間にミスアライメントがあることになる。ＵＥに生じる前にターゲットｅＮＢにタイムアウトが生じた場合、ＵＥは、ターゲットｅＮＢによって予期されるよりも後の時点でＲＡＣＨ手順を実施し、それによってハンドオーバ手順中の遅延が増加する。このシナリオにおけるＵＥは、ターゲットｅＮＢの割り当てが実際に網羅することが意図されたよりも長時間にわたって、アップリンクグラントが有効であると見なしてもよいので、ＵＥは、例えば、他のＵＥに割り当てられた機会に送信を実施してもよい。そのことは、アップリンクリソースが割り当てられている他のＵＥに対する干渉が増加することにつながり、したがって、同じセルにおける他のトラフィックに対する外乱につながる。
【００１１】
ターゲットｅＮＢに生じる前にＵＥにタイムアウトが生じる代替のイベントでは、ＵＥは、セル内のＵＥに割り当てられたアップリンクグラントがまだ存在し、したがってそれらが無駄になる時に、アップリンクがＲＡＣＨ手順を早期に開始することがある。ＵＥは、場合によっては、ターゲットセルの割り当てられたアップリンクグラントが全て、タイムアウトしている（即ち、有効ではなくなっている）ものと見なすこともあり、それにより、手順にしたがってＨＯコンプリートメッセージが送信されることをターゲットｅＮＢが依然として予期しているにもかかわらず、完全にＲＡＣＨレスハンドオーバ手順を使用しそこなうことがある。
【００１２】
本明細書に詳細に記載するいくつかの技術および装置は、これらの問題の一部または全てに対処する。これらの技術の少なくともいくつかによれば、ターゲットセルに対するアップリンクグラント（ＨＯコンプリートメッセージを送信する）は、ソースセルの無線デバイスに送られるＨＯコマンドメッセージに含まれ、ターゲットセルのアップリンクグラントに対する有効性タイマは、ソースセルのＳＦＮ（システムフレーム番号）値に基づく。ソースセルのＳＦＮ値に基づいた特定の時間後、ターゲットセルにおいてＲＡＣＨ手順を使用することへのフォールバックが、無線デバイスによって使用される。いくつかの実施形態によれば、ターゲットｅＮＢは、ＵＥに対して（ソースセルによって送られるＨＯコマンドを介して）、ターゲットセルにおけるアップリンクグラントの有効性に対するタイマがソースセルからのＳＦＮに基づくか否かを示す。
【００１３】
開示される技術の実現例は、ターゲットセルにおけるアップリンクグラントがいつ割り当てられるか、またそれらがどの程度の期間有効であるかに関して、ＲＡＣＨレスハンドオーバ手順中、ＵＥおよびターゲットｅＮＢを揃えることができるようにするのに使用されてもよく、それにより、ＵＥは、フォールバック機能としてＲＡＣＨ手順をいつ実施すべきかを決定することができる。したがって、これらの技術は、ＲＡＣＨレスハンドオーバ手順中の遅延の望ましくない増加を回避するとともに、アップリンクリソースが割り当てられていない機会に、ＵＥがターゲットセルにおける送信を実施し、それによってターゲットセルのトラフィックが乱されることを回避するのに使用されてもよい。更に、アップリンクグラントがソースセルのＳＦＮ値に基づくようにすることによって、ＵＥは、ＵＬグラントがいつ有効かを判定するのに、ターゲットセルのＳＦＮを読み取る必要がない。ターゲットセルのＳＦＮを決定するため、ＵＥは、別の方法として、ターゲットセルのＭＩＢを読み取る必要があるであろう。
【００１４】
いくつかの実施形態によれば、ソース基地局における、ソース基地局によってサーブされるソースセルからターゲット基地局によってサーブされるターゲットセルへの無線デバイスのハンドオーバの方法は、無線デバイスに送信する構成情報を含むコマンドを取得することを含み、構成情報は、少なくとも１つのＳＦＮ値に関して指定される、ターゲットセルのアップリンクリソースに対する少なくとも１つのアップリンクグラント時間の指示を含む。方法はまた、コマンドを無線デバイスに送信することを含む。コマンドの構成情報は、無線デバイスが、ＳＦＮ値をターゲットセルから取得することなく、ターゲットセルのアップリンクリソースにアクセスする時間を決定できるようにするのに十分な情報を含む。コマンドは、ターゲットセルへの無線デバイスのランダムアクセスチャネルレス（ＲＡＣＨレス）ハンドオーバに対するハンドオーバコマンドであってもよい。
【００１５】
いくつかの実施形態によれば、ターゲット基地局における、ソース基地局によってサーブされるソースセルからターゲット基地局によってサーブされるターゲットセルへの無線デバイスのハンドオーバの方法は、無線デバイスに送信する構成情報を含むコマンドを形成することを含み、構成情報は、少なくとも１つのＳＦＮ値に関して指定される、ターゲットセルのアップリンクリソースに対する少なくとも１つのアップリンクグラント時間の指示を含む。コマンドの構成情報は、無線デバイスが、ＳＦＮ値をターゲットセルから取得することなく、ターゲットセルのアップリンクリソースにアクセスする時間を決定できるようにするのに十分な情報を含む。やはり、コマンドは、ターゲットセルへの無線デバイスのＲＡＣＨレスハンドオーバに対するハンドオーバコマンドであってもよい。
【００１６】
いくつかの実施形態によれば、無線通信システムのサービングセルによって最初はサーブされている無線デバイスにおける方法は、サービングセルから構成情報を含むコマンドを受信することを含み、構成情報は、ソースセルまたはターゲットセルのどちらかの少なくとも１つのＳＦＮ値に関して指定される、ターゲットセルのアップリンクリソースに対する少なくとも１つのアップリンクグラント時間の指示を含む。方法はまた、少なくとも１つのアップリンクグラント時間の指示に基づいて、ソースセルのＳＦＮ値に関して、少なくとも１つのアップリンクグラント時間に対応する時間を決定することと、決定した時間に基づいて、ターゲットセルへの送信を開始することとを含む。やはり、コマンドは、ターゲットセルへの無線デバイスのＲＡＣＨレスハンドオーバに対するハンドオーバコマンドであってもよく、ターゲットセルへの送信は、この場合、ターゲットセルへのＲＡＣＨレスアクセスである。
【００１７】
いくつかの実施形態によれば、ソース基地局によってサーブされるソースセルからターゲット基地局によってサーブされるターゲットセルへの無線デバイスのハンドオーバに対応するように構成されたソース基地局は、１つまたは複数の無線デバイスと通信するように構成された送受信機回路構成と、送受信機回路構成を制御するように構成された処理回路構成とを含む。処理回路構成は、無線デバイスへ送信されるコマンドを取得するように構成され、コマンドは、少なくとも１つのＳＦＮ値に関して指定される、ターゲットセルにおけるアップリンクリソースに対する少なくとも１つのアップリンクグラント時間の指示を含む、構成情報を含む。処理回路構成はまた、送受信機回路構成を介して、コマンドを無線デバイスに送信するように構成される。コマンドの構成情報は、無線デバイスが、ＳＦＮ値をターゲットセルから取得することなく、ターゲットセルのアップリンクリソースにアクセスする時間を決定できるようにするのに十分な情報を含む。
【００１８】
いくつかの実施形態によれば、ソース基地局によってサーブされるソースセルからターゲット基地局によってサーブされるターゲットセルへの無線デバイスのハンドオーバに対応するように構成されたターゲット基地局は、１つまたは複数の無線デバイスと通信するように構成された送受信機回路構成と、送受信機回路構成を制御するように構成された処理回路構成とを含む。処理回路構成は、無線デバイスへ送信されるコマンドを、例えば、ターゲットセルへの無線デバイス（５０）のＲＡＣＨレスハンドオーバに対するハンドオーバコマンドを形成するように構成され、コマンドは、少なくとも１つのＳＦＮ値に関して指定される、ターゲットセルにおけるアップリンクリソースに対する少なくとも１つのアップリンクグラント時間の指示を含む、構成情報を含む。コマンドの構成情報は、無線デバイスが、ＳＦＮ値をターゲットセルから取得することなく、ターゲットセルのアップリンクリソースにアクセスする時間を決定できるようにするのに十分な情報を含む。
【００１９】
いくつかの実施形態によれば、無線通信ネットワークで動作するように構成された無線デバイスは、送受信機回路構成に動作可能に連結された基地局および処理回路構成と通信するように構成された、送受信機回路構成を含む。処理回路構成は、コマンドを、例えば送受信機回路構成を介した、無線デバイスにサーブするサービングセルからターゲットセルへの、無線デバイス（５０）のＲＡＣＨレスハンドオーバに対するハンドオーバコマンドを受信するように構成され、コマンドは、ソースセルまたはターゲットセルのどちらかに対する少なくとも１つのＳＦＮ値に関して指定される、ターゲットセルにおけるアップリンクリソースに対する少なくとも１つのアップリンクグラント時間の指示を含む、構成情報を含む。処理回路構成はまた、少なくとも１つのアップリンクグラント時間の指示に基づいて、ソースセルのＳＦＮ値に関して、少なくとも１つのアップリンクグラント時間に対応する時間を決定するように構成される。処理回路構成は、決定された時間に基づいて、送受信機回路構成を使用したターゲットセルへの送信、例えばＲＡＣＨレスアクセスを開始するように構成される。
【００２０】
本発明の更なる態様は、上記に概説した方法、ならびに上記に概説した装置および無線デバイスの機能的実現例に対応する、装置、コンピュータプログラム製品、またはコンピュータ可読記憶媒体を対象とする。
【００２１】
当然ながら、本発明は、上述の特徴および利点に限定されない。当業者であれば、以下の詳細な説明を読み、添付図面を見ることによって、更なる特徴および利点を認識するであろう。
【００２２】
様々な方法および装置の詳細について以下に提供する。それに加えて、本明細書に開示する技術および装置の例示的な実施形態の列挙が提供される。
【図面の簡単な説明】
【００２３】
【図１】本明細書に開示する技術のいくつかの実施形態による、一例のＲＡＣＨレスハンドオーバ（ＨＯ）手順を示す信号フロー図である。
【図２】本明細書に開示する技術のいくつかの実施形態による、別の例のＲＡＣＨレスハンドオーバ（ＨＯ）手順を示す信号フロー図である。
【図３】一例の基地局を示すブロック図である。
【図４】ソース基地局として実施される、いくつかの実施形態による一例の方法を示すプロセスフロー図である。
【図５】ターゲット基地局として実施される、いくつかの実施形態による一例の方法を示すプロセスフロー図である。
【図６】一例の無線デバイスを示すブロック図である。
【図７】無線デバイスとして実施される、いくつかの実施形態による一例の方法を示すプロセスフロー図である。
【図８】一例のソース基地局の機能的表現を示すブロック図である。
【図９】一例のターゲット基地局の機能的表現を示すブロック図である。
【図１０】一例の無線デバイスの機能的表現を示すブロック図である。
【発明を実施するための形態】
【００２４】
本明細書に開示する技術は、ＬＴＥ無線通信規格の改善に関連して記載される。しかしながら、技術は、より広くは、無線デバイスのハンドオーバが実施される、他の無線通信ネットワークに適用可能である。「ユーザ機器」または「ＵＥ」という用語は、本明細書では便宜上、３ＧＰＰ文書で一般に使用されるものとして使用される。しかしながら、本明細書に開示する技術および装置の範囲を理解する目的で、これらの用語は、無線通信ネットワークにおけるアクセス端末として動作するように構成された無線デバイスを指すものとしてより広く理解されるべきであり、それらの無線デバイスは、携帯電話、スマートフォン、無線装備のラップトップ、タブレットなどの消費者向けデバイス、あるいは工業用途で使用されるかまたは物のインターネット（ＩｏＴ）を可能にするマシンツーマシン（Ｍ２Ｍ）デバイスであるか否かにかかわらない。同様に、ｅＮＢおよびｅＮｏｄｅＢという用語は、本明細書で使用するとき、無線通信システムにおける基地局または無線アクセスノードを広く指すものと理解されるべきである。
【００２５】
上述したように、ＲＡＣＨレスハンドオーバ（ＨＯ）に関する最近の提案における問題には、ターゲットセルのＲＡＣＨレス手順に対する有効性タイマが、ＵＥがいつターゲットセルに同期したかに基づくようにするという提案が関与する。この方策における問題は、ＵＥがターゲットセルに対する同期にいつ成功したかを、ターゲットｅＮＢが知らないことである。ターゲットｅＮＢは、ターゲットセルのアップリンクグラントを含むＨＯコマンドメッセージを構築するとき、ＵＥがいつ始動してハンドオーバ手順を始めるか、即ち、ＵＥがいつソースセルのＨＯコマンドメッセージを成功裏に受信するかを知らない。更に、ＵＥがターゲットセルに対する同期手順を実施するのにどの程度の時間がかかるかを知らない。このことは、現在提案されている技術を使用して、場合によっては、ちょうどＵＬグラントがターゲットセルにおいて有効であるとき、したがってＵＥがＲＡＣＨレスＨＯ手順の使用を止め、ＲＡＣＨ手順にフォールバックすべきときに関して、ターゲットｅＮＢとＵＥとの間にミスアライメントがあることを意味する。
【００２６】
本明細書に開示する技術のいくつかによれば、ＨＯコンプリートメッセージを送信する、ターゲットセルに対するアップリンクグラントは、ソースセルのＵＥに送られるＨＯコマンドメッセージに含まれ、ターゲットセルのＵＬグラントに対する有効性タイマは、ソースセルのＳＦＮ（システムフレーム番号）値に基づく。ソースセルのＳＦＮは、ハンドオーバが行われた時点で、ＵＥによって既に分かっている。ソースセルのＳＦＮ値に基づいた特定の時間後、ターゲットセルにおいてＲＡＣＨ手順を使用することへのフォールバックが、ＵＥによって使用されるべきである。
【００２７】
より詳細には、いくつかの実施形態では、ターゲットｅＮｏｄｅＢは、いわゆるＨＯコマンドメッセージ（ＭｏｂｉｌｉｔｙＣｏｎｔｒｏｌＩｎｆｏ情報要素を含む、ＲＲＣメッセージ  ＲＲＣＣｏｎｎｅｃｔｉｏｎＲｅｃｏｎｆｉｇｕｒａｔｉｏｎ）を構築し、それをトランスパレントコンテナとしてのソースｅＮｏｄｅＢに送る。次に、ソースｅＮｏｄｅＢは、（ターゲットｅＮｏｄｅＢによって構築された）そのメッセージをＵＥに送信する。ＲＡＣＨレスＨＯを用いる場合、ＨＯコマンドメッセージはターゲットセルに対するＵＬグラントを含むものとする。本明細書に記載する技術によれば、ＨＯコマンドは、ＵＬグラントの有効性に関する情報、および／またはＲＡＣＨレス手順の代わりにフォールバックがいつ使用されるかに関する情報を含み、これはＨＯコマンドメッセージの中のソースセルＳＦＮもしくはターゲットセルＳＦＮに基づく。後者の場合、オフセット情報も含まれるので、ＵＥは、ＳＦＮをターゲットセルから取得する必要なく、無線デバイスに知られているソースセルのＳＦＮに基づいて、グラントについての、および／またはフォールバック手順がいつ行われるべきかについてのタイミングを決定することができる。
【００２８】
ソースセルおよびターゲットセルが同じｅＮＢに属する場合、２つのセルは正常に同期されている。しかしながら、２つのセルに対するＳＦＮ値は、２つのセルの間で必ずしも揃えられない。２つのセルが同じｅＮＢに属さないときにも同じことが当てはまり、その場合、セルは同期されてもよいがＳＦＮ値は揃えられない。本明細書に開示する技術のいくつかの実施形態では、２つのセルにおけるＳＦＮ値の差がターゲットｅＮＢに利用可能にされてもよいので、ソースセルにおけるＳＦＮに対するアップリンクグラントの有効期間を決定することができる。次に、ターゲットｅＮＢは、ソースセルのＳＦＮ値を参照して、ターゲットセルにおけるアップリンクグラントの有効性（場合によっては、いつそれらが行われるか／割り当てられるかを含む）を示すことができる。これは、ソースセルの無線デバイスに送信するため、ターゲットｅＮＢによって作成されソースｅＮＢ（ターゲットｅＮＢと異なる場合）に転送される、ＨＯコマンドメッセージにおいてＵＥに通信することができる。次に、ＵＥは、ソースセルに対応するＳＦＮ値を指すものと仮定することができる、ＳＦＮ値を参照して解釈される有効性情報を受信する。ハンドオーバ手順の目的のため、ＵＥは、ＲＡＣＨレスハンドオーバ手順に対するアップリンクグラントの位置および有効性を計算するとき、ターゲットセルがソースセルと同じＳＦＮ値を有すると仮定してもよい。
【００２９】
より詳細には、本明細書に開示するいくつかの実施形態では、ＵＥがフォールバックしてＲＡＣＨ手順を使用すべき時点を含む、ターゲットセルにおけるアップリンクグラントの有効性は、ソースセルのＳＦＮ値に関してＵＥに示される。ハンドオーバ手順中、次に、ＵＥは、ターゲットセルにおけるアップリンクグラントの有効性タイマ、ならびにＲＡＣＨレスハンドオーバ手順の代わりにフォールバックＲＡＣＨ手順が使用されるべきタイマ値が、ＳＦＮ値がソースセルおよびターゲットセルにおいて同じであることに基づくと仮定する。次に、ハンドオーバにおいてソースおよびターゲットセルでＳＦＮ値が揃えられていない場合、これらの実施形態のターゲットｅＮＢは、２つのセル間でのＳＦＮ値の差を計算し、ソースセルにおける対応するＳＦＮ値としての、ＲＡＣＨレスハンドオーバ手順に対する有効性タイマを設定する。
【００３０】
代替例では、ソースセルおよびターゲットセルにおけるＳＦＮ値の差を指定するオフセット値（「ＳＦＮオフセット」）を、ＨＯコマンドメッセージに含めることができる。次に、これらの実施形態におけるターゲットセルのアップリンクグラントを、ターゲットセルのＳＦＮ値として示すことができ、したがってこれを、ソースセルにおけるＳＦＮおよび受信した「ＳＦＮオフセット」値を通して、ＵＥが決定することができる。ＳＦＮオフセット値は、ソースセルとターゲットセルとのＳＦＮ値の差を与える。
ＳＦＮオフセット＝ＳＦＮ（ターゲットセル）−ＳＦＮ（ソースセル）
【００３１】
次に、これらの実施形態におけるＨＯコマンドメッセージは、ＳＦＮオフセット値と、ターゲットセルＳＦＮ値として与えられる、ＲＡＣＨレスハンドオーバ手順に対するアップリンクグラントの位置および有効性とを含む。次に、ＵＥは、メッセージにおけるＳＦＮオフセット値と、ＵＥには既に分かっているソースセルＳＦＮ値を使用して、ハンドオーバ中のターゲットセルＳＦＮ値を計算してもよい。したがって、ＵＥは、ターゲットセルのＭＩＢを読むことがなくても、ターゲットセルＳＦＮ値として与えられる、ＲＡＣＨレスハンドオーバに関するＵＬグラントの位置および有効性を判定してもよい。ＳＦＮ値がターゲットセルおよびソースセルの間で揃えられる場合には、結果的に、「ＳＦＮオフセット」値は、これらの実施形態では０に設定されるであろうことに留意されたい。
【００３２】
ソースセルのＳＦＮ値を参照して、ターゲットセルにおけるアップリンクグラントの有効性を判定する、ＨＯコマンドに提供される有効性情報を使用することに加えて、ＵＥはまた、この情報を使用して、ターゲットセルにおけるＲＡＣＨ手順にいつフォールバックすべきかを決定してもよい。
【００３３】
追加として、ターゲットｅＮＢは、いくつかの実施形態では、（最終的にサービングセルに送られるＨＯコマンドメッセージにおいて）ＵＥに対して、ソースセルのＳＦＮがターゲットセルのＵＬグラントの有効性を判定するのに使用されるべきか否かを示してもよい。任意選択として、ＵＥがソースセルのＳＦＮ値を使用すべきでない場合、最初にターゲットセルのＳＦＮ値を検出する代わりに、例えばターゲットセルのＭＩＢ（ＭａｓｔｅｒＩｎｆｏｒｍａｔｉｏｎＢｌｏｃｋ）を読み取ることによって、ターゲットｅＮＢによって方向付けられてもよい。
【００３４】
図１は、アップリンクグラントの有効時間とＲＡＣＨ手順にフォールバックする時間とが、ターゲットセルのＳＦＮに関してＵＥに対して示されるが、ターゲットセルのＳＦＮとソースセルのＳＦＮとのＳＦＮオフセットもＵＥに対して示される、一例の手順を示す信号フロー図である。ステップ１で示されるように、この例のシナリオにおけるターゲットｅＮＢは、ＵＥに対するハンドオーバ要求をソースｅＮＢから受信している。ステップ２に示されるように、ターゲットｅＮＢは次に、ソースセルのＵＥに送信されるＨＯコマンドメッセージを含む、ハンドオーバ要求確認メッセージをソースｅＮＢに対して送る。このＨＯコマンドメッセージはソースｅＮＢに対してトランスパレントである。
【００３５】
ＨＯコマンドは、この例では、ターゲットセルに対するＵＥによるＲＡＣＨレスＨＯを構成し、ＲＡＣＨレスＨＯ手順が成功しない場合、および／またはアップリンクグラントが成功裏に使用できない場合に、ターゲットセルにおけるアップリンク送信の１つまたは複数の位置（即ち、時間周波数リソース）、ならびにターゲットセルにアクセスするフォールバック機能を使用する時間を指定する、アップリンクグラント情報を含む。この例では、アップリンクグラント情報、およびフォールバック機能を使用する指示された時間は、ソースセルではなくターゲットセルのＳＦＮに対して指定される。したがって、ＨＯコマンドは、ソースセルのＳＦＮとターゲットセルのＳＦＮとの間のＳＦＮオフセットのインジケータを更に含む。代替例として、いくつかの実施形態では、このインジケータは代わりに、ＳＦＮが同じであると仮定できることを示してもよい。
【００３６】
ステップ３に示されるように、ＨＯコマンドメッセージは続いて、ＵＥが現在接続されている、ソースセルのソースｅＮＢによってＵＥに送信される。いくつかの実施形態では、メッセージは、ソースｅＮＢによってトランスパレントな形で送信されるので、ソースｅＮＢは単に、メッセージ「コンテナ」においてターゲットｅＮＢによって送られるようにメッセージを送信する。いずれの場合も、この例においてソースセルで送信されるＨＯコマンドメッセージは、上記で指定された情報、即ち、ターゲットセルにおけるアップリンク送信の１つもしくは複数の位置を指定するアップリンクグラント情報、ターゲットセルにアクセスするのにフォールバック機能を使用する時間、およびターゲットセルおよびソースセルのＳＦＮ間のＳＦＮオフセットのインジケータを含む。
【００３７】
最後に、ステップ４に示されるように、ＨＯコマンドを受信しているＵＥは、ソースセルのＳＦＮを参照時間として使用することによって、ＭＩＢをターゲットセルから読み取ってターゲットセルのＳＦＮを決定する必要性を回避して、アップリンクグラントおよび有効時間に対する時間、即ち、代わりにフォールバック機能を使用すべき時間を決定する。図１に示されるように、これは次式の関係を使用して行うことができる。
ＳＦＮ（ターゲットセル）＝ＳＦＮ（ソースセル）＋「ＳＦＮオフセット」
【００３８】
ＵＥはソースセルのＳＦＮに対するシステム時間を現在追跡しているので、ＳＦＮオフセットを、ターゲットセルのＳＦＮに関して指定されたグラント時間および有効時間に適用して、ソースセルのＳＦＮに対するグラント時間および有効時間を決定することができ、その逆もまた真である。図２では、ソースセルのＳＦＮが、任意選択として、ＨＯ要求確認および／またはＨＯコマンドメッセージに示されてもよく、その場合、ＵＥが、ソースセルのＳＦＮに基づいてＵＬグラントの位置および有効時間を決定することが示されている。
【００３９】
上述し、図１および２に示した例に照らして、図３は、上述したようなターゲット基地局もしくはソース基地局のどちらか、または両方として動作するように構成されてもよい、一例の基地局３０を示すブロック図である。基地局３０は、例えば、ＬＴＥのｅＮｏｄｅＢであってもよい。基地局３０は、無線デバイスに対するエアインターフェース、例えば、アンテナ３４および送受信機回路構成３６を介して実装される、ダウンリンク送信およびアップリンク受信のための、ＬＴＥもしくは５ＧエアインターフェースまたはＷＬＡＮエアインターフェースを提供する。送受信機回路構成３６は、送信器回路と、受信器回路と、セルラー通信または必要に応じてＷＬＡＮサービスを提供する目的で、無線アクセス技術にしたがって信号を送受信するように集合的に構成された、関連する制御回路とを含む。様々な実施形態によれば、セルラー通信サービスは、３ＧＰＰセルラー規格、ＧＳＭ、ＧＰＲＳ、ＷＣＤＭＡ、ＨＳＤＰＡ、ＬＴＥ、ＬＴＥアドバンスト、および５Ｇのうち任意の１つまたは複数にしたがって動作させられてもよい。基地局３０はまた、コアネットワークのノード、ピア無線ノード、および／またはネットワークにおける他のタイプのノードと通信する、通信インターフェース回路構成３８を含む。
【００４０】
基地局３０はまた、通信インターフェース回路構成３８および／または送受信機回路構成３６と動作可能に関連付けられ、それらを制御するように構成された、１つもしくは複数の処理回路３２を含む。処理回路構成３２は、１つまたは複数のデジタルプロセッサ４２、例えば、１つまたは複数のマイクロプロセッサ、マイクロコントローラ、デジタル信号プロセッサ（ＤＳＰ）、フィールドプログラマブルゲートアレイ（ＦＰＧＡ）、コンプレックスプログラマブル論理デバイス（ＣＰＬＤ）、特定用途向け集積回路（ＡＳＩＣ）、またはそれらの任意の組み合わせを含む。より一般には、処理回路構成３２は、固定回路構成、または本明細書で教示される機能性を実現するプログラム命令の実行を介して特別に構成されたプログラマブル回路構成を含んでもよく、あるいは固定およびプログラマブル回路構成の何らかの組み合わせを含んでもよい。プロセッサ４２はマルチコアであってもよい。
【００４１】
処理回路構成３２はメモリ４４も含む。メモリ４４は、いくつかの実施形態では、１つまたは複数のコンピュータプログラム４６と、任意に構成データ４８とを格納する。メモリ４４は、コンピュータプログラム４６を非一時的に格納し、ディスク記憶装置、固体メモリ記憶装置、またはそれらの任意の組み合わせなど、１つもしくは複数のタイプのコンピュータ可読媒体を含んでもよい。非限定例として、メモリ４４は、処理回路構成３２内にある、ならびに／あるいは処理回路構成３２とは別個であってもよい、ＳＲＡＭ、ＤＲＡＭ、ＥＥＰＲＯＭ、およびフラッシュメモリのうち任意の１つもしくは複数を含んでもよい。一般に、メモリ４４は、基地局３０によって使用されるコンピュータプログラム４６および任意の構成データ４８を非一時的に格納する、１つもしくは複数のタイプのコンピュータ可読記憶媒体を含む。ここで、「非一時的」とは、恒久的、半恒久的、または少なくとも一時的に持続する記憶媒体を意味し、不揮発性メモリにおける長期記憶、および例えばプログラム実行のための、作業メモリにおける記憶の両方を包含する。
【００４２】
いくつかの実施形態では、基地局３０は、本明細書に記載する技術の１つまたは複数にしたがって、ソース基地局によってサーブされるソースセルからターゲット基地局によってサーブされるターゲットセルへの無線デバイスのハンドオーバを実施するように構成された、ソース基地局として動作するように構成される。したがって、いくつかの実施形態では、基地局３０の処理回路構成３２は、無線デバイスへ送信されるコマンドであって、少なくとも１つのＳＦＮ値に関して指定された、ターゲットセルにおけるアップリンクリソースの少なくとも１つのアップリンクグラント時間の指示を含む構成情報を含むコマンドを取得し、コマンドを無線デバイスに送信するように構成され、コマンドの構成情報は、ＳＦＮ値をターゲットセルから取得することなく、ターゲットセルにおけるアップリンクリソースにアクセスする時間を、無線デバイスが決定するのを可能にするのに十分な情報を含む。上述したように、このコマンドは、ターゲットセルへの無線デバイス５０のＲＡＣＨレスハンドオーバに対するハンドオーバコマンドであってもよい。
【００４３】
処理回路構成３２はまた、ソース基地局によってサーブされるソースセルからターゲット基地局によってサーブされるターゲットセルへの無線デバイスのハンドオーバを実施する、ソース基地局における対応する方法４００を実施するように構成される。方法４００は、無線デバイスへ送信されるコマンドを取得することを含み、コマンドは、少なくとも１つのＳＦＮ値に関して指定される、ターゲットセルにおけるアップリンクリソースに対する少なくとも１つのアップリンクグラント時間の指示を含む、構成情報を含む（ブロック４０２）。方法４００は、コマンドを無線デバイスに送信することを更に含む（ブロック４０４）。重要なことに、コマンドの構成情報は、無線デバイスが、ＳＦＮ値をターゲットセルから取得することなく、ターゲットセルのアップリンクリソースにアクセスする時間を決定できるようにするのに十分な情報を含む。やはり、上述したように、このコマンドは、ターゲットセルへの無線デバイス５０のＲＡＣＨレスハンドオーバに対するハンドオーバコマンドであってもよい。
【００４４】
全体として図１および２に示される技術に対応する、図４に示されるプロセスの２つの主な変形例がある。１つの変形例（図１）によれば、少なくとも１つのアップリンクグラント時間は、ターゲットセルの第１のＳＦＮ値に関して指定され、構成情報は、ソースセルのＳＦＮ値とターゲットセルの同時のＳＦＮ値との差を示すＳＦＮオフセット値を更に含み、それによって無線デバイスは、ＳＦＮオフセット値をターゲットセルの第１のＳＦＮ値に適用することによって、ソースセルのＳＦＮ値に関してターゲットセルのアップリンクリソースにアクセスする時間を決定することができる。「同時の」という用語は、ここでは、同時ではなくても重なり合う時間（同期）である、ターゲットおよびソースセルのそれぞれのフレームに対応する、ターゲットセルおよびソースセルに対するＳＦＮ値を指すのに使用される。いくつかの実施形態では、この第１の変形例によれば、構成情報は、ターゲットセルにアクセスするためのランダムアクセスチャネル（ＲＡＣＨ）手順へのフォールバック手順が、無線デバイスによって開始されるべきである、ターゲットセルの第２のＳＦＮ値に関して指定される、時間の指示を更に含む。したがって、無線デバイスは、ＳＦＮオフセットを第２のＳＦＮ値に適用することによって、ソースセルのＳＦＮ値に関して、フォールバックを開始する時間を決定することができる。
【００４５】
別の変形例（図２）によれば、構成情報に含まれる少なくとも１つのＳＦＮ値は、ソースセルのＳＦＮ値に関して指定されるので、無線デバイスが、ソースセルのＳＦＮ値に関してターゲットセルのアップリンクリソースにアクセスする時間を決定できるようにするのに、追加情報は不要である。これは、例えば、ターゲットによって送信されるＭＩＢを読み取ることによって、ＳＦＮ値をターゲットセルから取得することなく行うことができる。この第２の変形例の第２の種では、少なくとも１つのＳＦＮ値は、ソースセルのＳＦＮ値に関して同様に指定されるが、構成情報は、ソースセルのＳＦＮ値に関して少なくとも１つのアップリンクグラントが指定されることの明示的な指示を更に含む。この明示的な指示を用いて、無線デバイスは、ソースセルのＳＦＮ値に関して時間が指示されることを知らされるので、ターゲットセルのＳＦＮを取得する必要はない。いくつかの実施形態では、この第２の変形例のいずれかの種によれば、構成情報は、ターゲットセルにアクセスするためのランダムアクセスチャネル（ＲＡＣＨ）手順へのフォールバック手順が、無線デバイスによって開始されるべきである、ソースセルのＳＦＮ値に関して指定される、時間の指示を更に含む。
【００４６】
図４に示される方法４００のいくつかの実施形態では、コマンドの取得は、ソースセルをサーブする（別個の）ターゲット基地局からコマンドを受信することを含む。他の実施形態では、ソース基地局はターゲット基地局でもあり、コマンドを取得することはコマンドを形成することを含む。
【００４７】
いくつかの実施形態では、基地局３０は、本明細書に記載する技術の１つまたは複数にしたがって、ソース基地局によってサーブされるソースセルからターゲット基地局によってサーブされるターゲットセルへの無線デバイスのハンドオーバを実施するように構成された、ターゲット基地局として動作するように構成される。したがって、いくつかの実施形態では、基地局３０の処理回路構成３２は、無線デバイスへ送信されるコマンドを形成するように構成され、コマンドは、少なくとも１つのＳＦＮ値に関して指定される、ターゲットセルにおけるアップリンクリソースに対する少なくとも１つのアップリンクグラント時間の指示を含む、構成情報を含む。コマンドの構成情報は、無線デバイスが、ＳＦＮ値をターゲットセルから取得することなく、ターゲットセルのアップリンクリソースにアクセスする時間を決定できるようにするのに十分な情報を含む。いくつかの実施形態では、例えば、ソース基地局およびターゲット基地局が別個のノードである場合、処理回路構成３２は、無線デバイスへの送信のため、ソース基地局にコマンドを送るように更に構成される。他の実施形態では、ソース基地局およびターゲット基地局が同じノードである場合、処理回路構成３２は、コマンドを無線デバイスに送信するように更に構成される。
【００４８】
図５は、ターゲット基地局で実現される、対応する方法５００を示すプロセスフローである。ブロック５０２で見られるように、方法５００は、無線デバイスへ送信されるコマンドを形成することを含み、コマンドは、少なくとも１つのＳＦＮ値に関して指定される、ターゲットセルにおけるアップリンクリソースに対する少なくとも１つのアップリンクグラント時間の指示を含む、構成情報を含む。コマンドの構成情報は、無線デバイスが、ＳＦＮ値をターゲットセルから取得することなく、ターゲットセルのアップリンクリソースにアクセスする時間を決定できるようにするのに十分な情報を含む。ブロック５０４で見られるように、方法５００は、無線デバイスに送信するため、コマンドを（別個の）ソース基地局に送るか、あるいはターゲット基地局がソース基地局でもある場合、コマンドを無線デバイスに送信することのどちらかを更に含んでもよい。
【００４９】
図４に示される方法４００の場合のように、図５に示される方法５００の２つの主な変形例がある。第１の変形例では、少なくとも１つのアップリンクグラント時間は、ターゲットセルの第１のＳＦＮ値に関して指定され、構成情報は、ソースセルのＳＦＮ値とターゲットセルの同時のＳＦＮ値との差を示すＳＦＮオフセット値を更に含み、それによって無線デバイスは、ＳＦＮオフセット値をターゲットセルの第１のＳＦＮ値に適用することによって、ソースセルのＳＦＮ値に関してターゲットセルのアップリンクリソースにアクセスする時間を決定することができる。いくつかの実施形態では、この変形例によれば、構成情報は、ターゲットセルにアクセスするためのランダムアクセスチャネル（ＲＡＣＨ）手順へのフォールバック手順が、無線デバイスによって開始されるべきである、ターゲットセルのＳＦＮ値に関して指定される、時間の指示を更に含む。これらの実施形態のいくつか、および他のいくつかの実施形態では、方法５００は、指示される少なくとも１つのアップリンクグラント時間にしたがって、無線デバイスのターゲットセルにおけるアップリンクリソースを残しておくことを更に含む。
【００５０】
図５に示される方法５００の第２の変形例では、少なくとも１つのＳＦＮ値はソースセルのＳＦＮ値に関して指定され、それによって、無線デバイスが、ＳＦＮ値をターゲットセルから取得することなく、ソースセルのＳＦＮ値に関してターゲットセルのアップリンクリソースにアクセスする時間を決定できるようにするのに、追加情報は不要である。この第２の変形例のわずかに異なる種では、少なくとも１つのＳＦＮ値は、ソースセルのＳＦＮ値に関して同様に指定されるが、構成情報は、ソースセルのＳＦＮ値に関して少なくとも１つのアップリンクグラントが指定されることの明示的な指示を更に含む。いくつかの実施形態では、この第２の変形例のいずれかの種によれば、方法５００は、ターゲット基地局において、ターゲットセルのＳＦＮ値に基づくとともにアップリンクグラント時間に対応して、また、ソースセルのＳＦＮ値とターゲットセルの同時のＳＦＮ値との差を示すＳＦＮオフセットに基づいて、ソースセルのＳＦＮ値を決定することを更に含む。これらの実施形態のいくつか、および他のいくつかの実施形態では、構成情報は、ターゲットセルにアクセスするためのランダムアクセスチャネル（ＲＡＣＨ）手順へのフォールバック手順が、無線デバイスによって開始されるべきである、ソースセルのＳＦＮ値に関して指定される、時間の指示を更に含む。
【００５１】
図６は、無線デバイスに関して本明細書に記載する技術を実施するように構成された、図６のユーザ機器（ＵＥ）５０と呼ばれる、一例の無線デバイスを示している。ＵＥ  ５０はまた、ネットワークで動作してもよいか、または無線信号を通じてネットワークノードもしくは別のＵＥと通信することができる、任意の無線デバイスを表すものと見なされてもよい。ＵＥ  ５０はまた、様々な文脈において、無線通信デバイス、ターゲットデバイス、デバイスツーデバイス（Ｄ２Ｄ）ＵＥ、マシンタイプＵＥ、またはマシンツーマシン（Ｍ２Ｍ）通信が可能なＵＥ、センサ装備ＵＥ、ＰＤＡ（携帯情報端末）、無線タブレット、移動端末、スマートフォン、ラップトップ内蔵機器（ＬＥＥ）、ラップトップ搭載機器（ＬＭＥ）、無線ＵＳＢドングル、カスタマ構内機器（ＣＰＥ）などと呼ばれることがある。
【００５２】
ＵＥ  ５０は、アンテナ５４および送受信機回路構成５６を介して、１つもしくは複数のネットワークノード３０など、１つもしくは複数の無線ノードまたは基地局と通信する。送受信機回路構成５６は、送信器回路と、受信器回路と、セルラー通信サービスを提供する目的で、無線アクセス技術にしたがって信号を送受信するように集合的に構成された、関連する制御回路とを含んでもよい。
【００５３】
ＵＥ  ５０はまた、無線送受信機回路構成５６と動作可能に関連付けられ、またそれを制御する、１つまたは複数の処理回路５２を含む。処理回路構成５２は、１つもしくは複数のデジタル処理回路、例えば、１つもしくは複数のマイクロプロセッサ、マイクロコントローラ、ＤＳＰ、ＦＰＧＡ、ＣＰＬＤ、ＡＳＩＣ、またはそれらの任意の混合を含む。より一般には、処理回路構成５２は、固定回路構成、または本明細書で教示される機能性を実現するプログラム命令の実行を介して特別に適合されたプログラマブル回路構成を含んでもよく、あるいは固定の回路構成およびプログラムされた回路構成の何らかの混合を含んでもよい。処理回路構成５２はマルチコアであってもよい。
【００５４】
処理回路構成５２はメモリ６４も含む。メモリ６４は、いくつかの実施形態では、１つまたは複数のコンピュータプログラム６６と、任意に構成データ６８とを格納する。メモリ６４は、コンピュータプログラム６６を非一時的に格納し、ディスク記憶装置、固体メモリ記憶装置、またはそれらの任意の混合など、１つもしくは複数のタイプのコンピュータ可読媒体を含んでもよい。非限定例として、メモリ６４は、処理回路構成５２内にある、ならびに／あるいは処理回路構成５２とは別個であってもよい、ＳＲＡＭ、ＤＲＡＭ、ＥＥＰＲＯＭ、およびフラッシュメモリのうち任意の１つもしくは複数を含む。一般に、メモリ６４は、ＵＥ  ５０によって使用されるコンピュータプログラム６６および任意の構成データ６８を非一時的に格納する、１つもしくは複数のタイプのコンピュータ可読記憶媒体を含む。
【００５５】
したがって、いくつかの実施形態では、無線デバイス（ＵＥ  ５０）の処理回路構成５２は、無線デバイスにサーブするサービングセルからのコマンドを受信するように構成され、コマンドは、ソースセルまたはターゲットセルどちらかの少なくとも１つのＳＦＮ値に関して指定される、ターゲットセルにおけるアップリンクリソースに対する少なくとも１つのアップリンクグラント時間の指示を含む、構成情報を含む。処理回路構成５２は、少なくとも１つのアップリンクグラント時間の指示に基づいて、ソースセルのＳＦＮ値に関して、少なくとも１つのアップリンクグラント時間に対応する時間を決定し、決定した時間に基づいて、ターゲットセルへの送信を開始するように、更に構成される。やはり、上述したように、このコマンドは、ターゲットセルへの無線デバイス５０のＲＡＣＨレスハンドオーバに対するハンドオーバコマンドであってもよく、したがって、ターゲットセルへの送信は、ターゲットセルへのＲＡＣＨレスアクセスであってもよい。
【００５６】
図７は、最初は無線通信システムにおいてサービングセルによってサーブされる、ＵＥ  ５０などの無線デバイスで実現される、対応する方法７００を示すプロセスフロー図である。ブロック７０２で示されるように、方法７００は、サービングセルから構成情報を含むコマンドを受信することを含み、構成情報は、ソースセルまたはターゲットセルのどちらかに対する少なくとも１つのＳＦＮ値に関して指定される、ターゲットセルのアップリンクリソースに対する少なくとも１つのアップリンクグラント時間の指示を含む。ブロック７０４で示されるように、方法７００は、少なくとも１つのアップリンクグラント時間の指示に基づいて、ソースセルのＳＦＮ値に関して、少なくとも１つのアップリンクグラント時間に対応する時間を決定することを更に含む。ブロック７０６で示されるように、方法７００は、決定された時間に基づいて、ターゲットセルへの送信、例えばＲＡＣＨレスアクセスを開始することを更に含む。このことは、ターゲットセルとのランダムアクセス手順を最初に実施することなく、決定された時間に基づいて送信することによって、ターゲットセルへのアクセスを試みることを意味する。
【００５７】
図７に示される方法７００のいくつかの実施形態では、少なくとも１つのアップリンクグラント時間は、ターゲットセルの第１のＳＦＮ値に関して指定され、その場合、構成情報は、ソースセルのＳＦＮ値とターゲットセルの同時のＳＦＮ値との差を示すＳＦＮオフセットを更に含む。これらの実施形態では、少なくとも１つのアップリンクグラント時間に対応する時間を決定することは、ＳＦＮオフセット値をターゲットセルの第１のＳＦＮ値に適用することを含む。これらの実施形態のいくつかでは、構成情報は、ターゲットセルにアクセスするためのランダムアクセスチャネル（ＲＡＣＨ）手順へのフォールバック手順が、無線デバイスによって開始されるべきである、ターゲットセルの第２のＳＦＮ値に関して指定される、時間の指示を更に含む。方法７００は、ＳＦＮオフセットを第２のＳＦＮ値に適用することによって、ソースセルのＳＦＮ値に関して、フォールバックを開始する時間を決定することを更に含む。これら後者の実施形態のいくつかでは、方法は、決定された時間においてターゲットセルに成功裏にアクセスすることの失敗に応答して、フォールバック開始の決定された時間に始まる、ターゲットセルに向けたランダムアクセス手順を開始することを更に含む。
【００５８】
他の実施形態では、少なくとも１つのＳＦＮ値はソースセルのＳＦＮ値に関して指定され、方法７００は、ＳＦＮ値をターゲットセルから取得することなく、ソースセルのＳＦＮ値から直接時間を決定することを含む。図７に示される方法７００におけるこの第２の主な変形例の異なる種では、ソースセルのＳＦＮ値に関して同様に指定されるが、構成情報は、ソースセルのＳＦＮ値に関して少なくとも１つのアップリンクグラントが指定されることの明示的な指示を更に含む。この異なる種では、方法７００は、同様に、明示的な指示に応答してＳＦＮ値をターゲットセルから取得することなく、ソースセルのＳＦＮ値から直接時間を決定することを含む。
【００５９】
いくつかの実施形態では、構成情報は、ターゲットセルにアクセスするためのランダムアクセスチャネル（ＲＡＣＨ）手順へのフォールバック手順が、無線デバイスによって開始されるべきである、ソースセルのＳＦＮ値に関して指定される、時間の指示を更に含む。方法７００は、決定された時間においてターゲットセルに成功裏にアクセスすることの失敗に応答して、指示された時間に始まる、ターゲットセルに向けたランダムアクセス手順を開始することを更に含む。
【００６０】
詳細に上述したように、本明細書に記載する、例えば図４、５、および７のプロセスフロー図に示されるような技術は、１つまたは複数のプロセッサによって実行されるコンピュータプログラム命令を使用して、全体的または部分的に実現されてもよい。これらの技術の機能的実現は、機能的モジュールに関して表されてもよく、各機能的モジュールは、適切なプロセッサで実行するソフトウェアの機能的ユニット、または機能的デジタルハードウェア回路、または両方の何らかの組み合わせに対応することが認識されるであろう。
【００６１】
図８は、ソース基地局として動作する基地局３０で実現されてもよい、一例の機能的モジュールまたは回路アーキテクチャを示している。実現例は、無線デバイスへ送信されるコマンド、例えばターゲットセルへの無線デバイス（５０）のＲＡＣＨレスハンドオーバに対するハンドオーバコマンドを取得する、取得モジュール８０２を含み、コマンドは、少なくとも１つのＳＦＮ値に関して指定される、ターゲットセルにおけるアップリンクリソースに対する少なくとも１つのアップリンクグラント時間の指示を含む構成情報を含む。実現例は、送受信機回路構成を介してコマンドを無線デバイスに送信する、送信モジュール８０４を更に含む。詳細に上述したように、コマンドの構成情報は、無線デバイスが、ＳＦＮ値をターゲットセルから取得することなく、ターゲットセルのアップリンクリソースにアクセスする時間を決定できるようにするのに十分な情報を含む。
【００６２】
図９は、ターゲットノードとして動作する基地局３０で実現されてもよい、一例の機能的モジュールまたは回路アーキテクチャを示している。実現例は、無線デバイスへ送信されるコマンド、例えばターゲットセルへの無線デバイス（５０）のＲＡＣＨレスハンドオーバに対するハンドオーバコマンドを形成する、形成モジュール９０２を含み、コマンドは、少なくとも１つのＳＦＮ値に関して指定される、ターゲットセルにおけるアップリンクリソースに対する少なくとも１つのアップリンクグラント時間の指示を含む構成情報を含む。実現例は、ターゲット基地局３０およびソース基地局が異なる場合に、コマンドをソース基地局に送る、あるいはターゲット基地局３０およびソース基地局が同じである場合に、コマンドを無線デバイスに送信する、伝送または送信モジュール９０４を更に含む。やはり、コマンドの構成情報は、無線デバイスが、ＳＦＮ値をターゲットセルから取得することなく、ターゲットセルのアップリンクリソースにアクセスする時間を決定できるようにするのに十分な情報を含む。
【００６３】
図１０は、ＵＥ  ５０などの無線デバイスで実現されてもよい、一例の機能的モジュールまたは回路アーキテクチャを示している。実現例は、無線デバイスにサーブするサービングセルからのコマンド、例えばターゲットセルへの無線デバイス（５０）のＲＡＣＨレスハンドオーバに対するハンドオーバコマンドを受信する、受信モジュール１００２を含み、コマンドは、ソースセルまたはターゲットセルのどちらかに対する少なくとも１つのＳＦＮ値に関して指定される、ターゲットセルにおけるアップリンクリソースに対する少なくとも１つのアップリンクグラント時間の指示を含む構成情報を含む。実現例は、少なくとも１つのアップリンクグラント時間の指示に基づいて、ソースセルのＳＦＮ値に関して、少なくとも１つのアップリンクグラント時間に対応する時間を決定する、決定モジュール１００４、ならびに決定した時間に基づいて、ターゲットセルへの送信、例えばＲＡＣＨレスアクセスを開始する、開始モジュール１００６を更に含む。
【００６４】
特に、上記お記載および関連図面に提示した教示の利益を有する、開示した発明の修正および他の実施形態が、当業者には想起されるであろう。したがって、本発明は開示した特定の実施形態に限定されず、修正および他の実施形態が本開示の範囲内に含まれることが意図されることを理解すべきである。本明細書において特定の用語が用いられることがあるが、それらは単に総称的で説明的な意味で使用され、限定の意味では使用されない。
【図１】
2019534632.tif 000003
【図２】
2019534632.tif 000004
【図３】
2019534632.tif 000005
【図４】
2019534632.tif 000006
【図５】
2019534632.tif 000007
【図６】
2019534632.tif 000008
【図７】
2019534632.tif 000009
【図８】
2019534632.tif 000010
【図９】
2019534632.tif 000011
【図１０】
2019534632.tif 000012
【手続補正書】
【提出日】令和1年6月10日(2019.6.10)
【手続補正１】
【補正対象書類名】特許請求の範囲
【補正対象項目名】全文
【補正方法】変更
【補正の内容】
【特許請求の範囲】
【請求項１】
ソース基地局（３０）によってサーブされるソースセルからターゲット基地局によってサーブされるターゲットセルへの無線デバイス（５０）のハンドオーバのための、ソース基地局（３０）における方法（４００）であって、
前記無線デバイス（５０）へ送信されるコマンドであって、少なくとも１つのシステムフレーム番号（ＳＦＮ）値に関して指定される、前記ターゲットセルにおけるアップリンクリソースに対する少なくとも１つのアップリンクグラント時間の指示を含む構成情報を含む、コマンドを取得すること（４０２）と、
前記コマンドを前記無線デバイス（５０）に送信すること（４０４）とを含み、
前記コマンドの前記構成情報が、前記無線デバイスが、ＳＦＮ値を前記ターゲットセルから取得することなく、前記ターゲットセルのアップリンクリソースにアクセスする時間を決定できるようにするのに十分な情報を含む、方法（４００）。
【請求項２】
前記少なくとも１つのアップリンクグラント時間が、前記ターゲットセルの第１のＳＦＮ値に関して指定され、前記構成情報が、前記ソースセルのＳＦＮ値と前記ターゲットセルの同時のＳＦＮ値との差を示すＳＦＮオフセット値を更に含み、それによって前記無線デバイス（５０）が、前記ＳＦＮオフセット値を前記ターゲットセルの前記第１のＳＦＮ値に適用することによって、前記ソースセルのＳＦＮ値に関して前記ターゲットセルのアップリンクリソースにアクセスする前記時間を決定することができる、請求項１に記載の方法（４００）。
【請求項３】
前記少なくとも１つのＳＦＮ値が前記ソースセルのＳＦＮ値に関して指定され、それによって、前記無線デバイス（５０）が、ＳＦＮ値を前記ターゲットセルから取得することなく、前記ソースセルのＳＦＮ値に関して前記ターゲットセルのアップリンクリソースにアクセスする前記時間を決定できるようにするのに、追加情報が不要である、請求項１または２に記載の方法（４００）。
【請求項４】
ソース基地局によってサーブされるソースセルからターゲット基地局（３０）によってサーブされるターゲットセルへの無線デバイス（５０）のハンドオーバのための、ターゲット基地局（３０）における方法（５００）であって、
前記無線デバイス（５０）へ送信されるコマンドであって、少なくとも１つのシステムフレーム番号（ＳＦＮ）値に関して指定される、前記ターゲットセルにおけるアップリンクリソースに対する少なくとも１つのアップリンクグラント時間の指示を含む構成情報を含む、コマンドを形成すること（５０２）を含み、
前記コマンドの前記構成情報が、前記無線デバイス（５０）が、ＳＦＮ値を前記ターゲットセルから取得することなく、前記ターゲットセルのアップリンクリソースにアクセスする時間を決定できるようにするのに十分な情報を含む、方法（５００）。
【請求項５】
前記無線デバイス（５０）に送信するため、前記コマンドを前記ソース基地局に送ることを更に含む、請求項４に記載の方法（５００）。
【請求項６】
前記少なくとも１つのアップリンクグラント時間が、前記ターゲットセルの第１のＳＦＮ値に関して指定され、前記構成情報が、前記ソースセルのＳＦＮ値と前記ターゲットセルの同時のＳＦＮ値との差を示すＳＦＮオフセット値を更に含み、それによって前記無線デバイス（５０）が、前記ＳＦＮオフセット値を前記ターゲットセルの前記第１のＳＦＮ値に適用することによって、前記ソースセルのＳＦＮ値に関して前記ターゲットセルのアップリンクリソースにアクセスする前記時間を決定することができる、請求項４または５に記載の方法（５００）。
【請求項７】
前記少なくとも１つのＳＦＮ値が前記ソースセルのＳＦＮ値に関して指定され、それによって、前記無線デバイス（５０）が、ＳＦＮ値を前記ターゲットセルから取得することなく、前記ソースセルのＳＦＮ値に関して前記ターゲットセルのアップリンクリソースにアクセスする前記時間を決定できるようにするのに、追加情報が不要である、請求項４から６のいずれか一項に記載の方法（５００）。
【請求項８】
前記方法（５００）が、前記ターゲット基地局（３０）において、前記ターゲットセルのＳＦＮ値に基づくとともに前記アップリンクグラント時間に対応して、また、前記ソースセルのＳＦＮ値と前記ターゲットセルの同時のＳＦＮ値との差を示すＳＦＮオフセットに基づいて、前記ソースセルの前記ＳＦＮ値を決定することを更に含む、請求項７に記載の方法（５００）。
【請求項９】
前記指示される少なくとも１つのアップリンクグラント時間にしたがって、前記無線デバイス（５０）の前記ターゲットセルにおけるアップリンクリソースを残しておくことを更に含む、請求項４から８のいずれか一項に記載の方法（５００）。
【請求項１０】
最初は無線通信システムにおいてサービングセルによってサーブされる、無線デバイス（５０）における方法（７００）であって、
ソースセルまたはターゲットセルのどちらかに対する少なくとも１つのシステムフレーム番号（ＳＦＮ）値に関して指定される、前記ターゲットセルのアップリンクリソースに対する少なくとも１つのアップリンクグラント時間の指示を含む構成情報を含む、コマンドを前記サービングセルから受信すること（７０２）と、
前記少なくとも１つのアップリンクグラント時間の前記指示に基づいて、前記ソースセルのＳＦＮ値に関して、前記少なくとも１つのアップリンクグラント時間に対応する時間を決定すること（７０４）と、
前記決定した時間に基づいて、前記ターゲットセルへの送信を開始すること（７０６）とを含む、方法（７００）。
【請求項１１】
前記少なくとも１つのアップリンクグラント時間が、前記ターゲットセルの第１のＳＦＮ値に関して指定され、前記構成情報が、前記ソースセルのＳＦＮ値と前記ターゲットセルの同時のＳＦＮ値との差を示すＳＦＮオフセット値を更に含み、前記少なくとも１つのアップリンクグラント時間に対応する前記時間の前記決定（７０４）が、前記ＳＦＮオフセット値を前記ターゲットセルの前記第１のＳＦＮ値に適用することを含む、請求項１０に記載の方法（７００）。
【請求項１２】
前記少なくとも１つのＳＦＮ値が前記ソースセルのＳＦＮ値に関して指定され、前記方法（７００）が、ＳＦＮ値を前記ターゲットセルから取得することなく、前記ソースセルの前記ＳＦＮ値から直接前記時間を決定することを含む、請求項１０または１１に記載の方法（７００）。
【請求項１３】
ソース基地局（３０）によってサーブされるソースセルからターゲット基地局によってサーブされるターゲットセルへの無線デバイス（５０）のハンドオーバに対応するように配置された、ソース基地局（３０）であって、
少なくとも１つのシステムフレーム番号（ＳＦＮ）値に関して指定される、前記ターゲットセルにおけるアップリンクリソースに対する少なくとも１つのアップリンクグラント時間の指示を含む構成情報を含む、前記無線デバイス（５０）へ送信されるコマンドを取得し、
前記コマンドを前記無線デバイス（５０）に送信するように適合され、
前記コマンドの前記構成情報が、前記無線デバイス（５０）が、ＳＦＮ値を前記ターゲットセルから取得することなく、前記ターゲットセルのアップリンクリソースにアクセスする時間を決定できるようにするのに十分な情報を含む、ソース基地局（３０）。
【請求項１４】
前記ソース基地局が、請求項２または３に記載の前記方法（４００）を実施するように更に適合された、請求項１３に記載のソース基地局（３０）。
【請求項１５】
ソース基地局によってサーブされるソースセルからターゲット基地局（３０）によってサーブされるターゲットセルへの無線デバイス（５０）のハンドオーバに対応するように配置された、ターゲット基地局（３０）であって、
少なくとも１つのシステムフレーム番号（ＳＦＮ）値に関して指定される、前記ターゲットセルにおけるアップリンクリソースに対する少なくとも１つのアップリンクグラント時間の指示を含む構成情報を含む、前記無線デバイス（５０）へ送信コマンドを形成するように適合され、
前記コマンドの前記構成情報が、前記無線デバイス（５０）が、ＳＦＮ値を前記ターゲットセルから取得することなく、前記ターゲットセルのアップリンクリソースにアクセスする時間を決定できるようにするのに十分な情報を含む、ターゲット基地局（３０）。
【請求項１６】
前記ターゲット基地局（３０）が、請求項５から９のいずれか一項に記載の前記方法（５００）を実施するように更に適合された、請求項１５に記載のターゲット基地局（３０）。
【請求項１７】
無線通信ネットワークで動作するように適合された無線デバイス（５０）であって、
ソースセルまたはターゲットセルのどちらかに対する少なくとも１つのシステムフレーム番号（ＳＦＮ）値に関して指定される、前記ターゲットセルのアップリンクリソースに対する少なくとも１つのアップリンクグラント時間の指示を含む構成情報を含むコマンドを、前記無線デバイス（５０）にサーブするサービングセルから受信し、
前記少なくとも１つのアップリンクグラント時間の前記指示に基づいて、前記ソースセルのＳＦＮ値に関して、前記少なくとも１つのアップリンクグラント時間に対応する時間を決定し、
前記決定された時間に基づいて、前記ターゲットセルへの送信を開始するように適合された、無線デバイス（５０）。
【請求項１８】
前記無線デバイス（５０）が、請求項１１または１２に記載の方法（７００）を実施するように更に適合された、請求項１７に記載の無線デバイス（５０）。
【請求項１９】
ソース基地局（３０）によってサーブされるソースセルからターゲット基地局によってサーブされるターゲットセルへの無線デバイス（５０）のハンドオーバに対応するように構成された、ソース基地局（３０）のプロセッサ（３２）によって実行されるように構成されたコンピュータプログラムコードを備える、コンピュータプログラム製品（４６）であって、前記コンピュータプログラムコードが、前記ソース基地局（３０）に、前記無線デバイス（５０）へ送信されるコマンドであって、少なくとも１つのシステムフレーム番号（ＳＦＮ）値に関して指定される、前記ターゲットセルにおけるアップリンクリソースに対する少なくとも１つのアップリンクグラント時間の指示を含む構成情報を含む、コマンドを取得させ、
前記送受信機回路構成（３６）を介して、前記コマンドを前記無線デバイス（５０）に送信させるように構成された、命令を含み、
前記コマンドの前記構成情報が、前記無線デバイス（５０）が、ＳＦＮ値を前記ターゲットセルから取得することなく、前記ターゲットセルのアップリンクリソースにアクセスする時間を決定できるようにするのに十分な情報を含む、コンピュータプログラム製品（４６）。
【請求項２０】
ソース基地局によってサーブされるソースセルからターゲット基地局（３０）によってサーブされるターゲットセルへの無線デバイス（５０）のハンドオーバに対応するように構成された、前記ターゲット基地局（３０）のプロセッサ（３２）によって実行されるように構成されたコンピュータプログラムコードを備える、コンピュータプログラム製品（４６）であって、前記コンピュータプログラムコードが、前記ターゲット基地局（３０）に、
少なくとも１つのシステムフレーム番号（ＳＦＮ）値に関して指定される、前記ターゲットセルにおけるアップリンクリソースに対する少なくとも１つのアップリンクグラント時間の指示を含む構成情報を含む、前記無線デバイス（５０）へ送信されるコマンドを形成させるように構成された、命令を含み、
前記コマンドの前記構成情報が、前記無線デバイス（５０）が、ＳＦＮ値を前記ターゲットセルから取得することなく、前記ターゲットセルのアップリンクリソースにアクセスする時間を決定できるようにするのに十分な情報を含む、コンピュータプログラム製品（４６）。
【請求項２１】
無線通信ネットワークで動作する無線デバイス（５０）のプロセッサ（５２）によって実行されるように構成されたコンピュータプログラムコードを備える、コンピュータプログラム製品（４６）であって、前記コンピュータプログラムコードが、前記無線デバイス（５０）に、
ソースセルまたはターゲットセルのどちらかに対する少なくとも１つのシステムフレーム番号（ＳＦＮ）値に関して指定される、前記ターゲットセルのアップリンクリソースに対する少なくとも１つのアップリンクグラント時間の指示を含む構成情報を含むコマンドを、前記無線デバイス（５０）にサーブするサービングセルから受信させ、
前記少なくとも１つのアップリンクグラント時間の前記指示に基づいて、前記ソースセルのＳＦＮ値に関して、前記少なくとも１つのアップリンクグラント時間に対応する時間を決定させ、
前記決定された時間に基づいて、前記ターゲットセルへの送信を開始させるように構成された命令を含む、コンピュータプログラム製品（４６）。
【請求項２２】
請求項１９から２１のいずれか一項に記載の前記コンピュータプログラム製品（４６、６６）を含む、非一時的であることができる、コンピュータ可読媒体（４４、６４）。
【国際調査報告】
2019534632.tif 000013
2019534632.tif 000014
2019534632.tif 000015
2019534632.tif 000016
2019534632.tif 000017